(57)【要約】【課題】符号化と復号の組のタンデム接続による音質劣化の発生を少なくすることができ、また、多地点制御装置の演算処理量や所要メモリ量を少なくすることができる技術を提供する。【解決手段】通信容量が異なる複数の通信網（例えば、固定電話回線と携帯電話回線）の端末間の多地点接続において、通信容量が小さいほうの通信網のモノラル符号化方式を含むマルチチャンネル符号化を通信容量が大きいほうの通信網で用い、通信容量が大きいほうの通信網に端末に対して複数地点の音を伝える場合に、これら複数地点のモノラル符号を出力するように制御を行う。【選択図】図９
2020115613.tif 000002
【特許請求の範囲】
【請求項１】
Ｍ地点（Ｍは１以上の整数）の第一通信網端末装置とＮ地点（Ｎは２以上の整数）の第二通信網端末装置とが通信路を介して接続された多地点制御装置における多地点制御方法であって、
各時間区間について、
前記各第一通信網端末装置から前記多地点制御装置に通信路を介して入力されるビット列は、該第一通信網端末装置に入力された２個以上のチャンネルの音信号を混合した信号を第１の符号化方式で符号化して得られたモノラル符号ＣＦＭｍ（ｍは１以上Ｍ以下の各整数）と、前記入力された２個以上のチャンネルの音信号の差分に相当する情報を表す符号を含む拡張符号ＣＦＥｍと、を音信号を表す符号として含むビット列であり、
前記各第二通信網端末装置から前記多地点制御装置に通信路を介して入力されるビット列は、該第二通信網端末装置に入力された１チャンネルの音信号を前記第１の符号化方式で符号化して得られたモノラル符号ＣＭＭｎ（ｎは１以上Ｎ以下の各整数）を音信号を表す符号として含むビット列であり、
前記多地点制御装置が、Ｍ地点の前記第一通信網端末装置とＮ地点の第二通信網端末装置のうちから１地点または２地点を選択する地点選択ステップと、
前記多地点制御装置が、前記選択された地点がＮ１地点とＮ２地点の２地点（Ｎ１は１以上Ｎ以下の整数、Ｎ２は１以上Ｎ以下でありＮ１とは異なる整数）の前記第二通信網端末装置である場合に、前記各第一通信網端末装置に対するビット列として、前記Ｎ１地点の音信号を表す符号であるモノラル符号ＣＭＭＮ１と前記Ｎ２地点の音信号を表す符号であるモノラル符号ＣＭＭＮ２とを音信号を表す符号として含むビット列を生成して出力するビット列生成ステップと、
を含む多地点制御方法。
【請求項２】
請求項１に記載の多地点制御方法であって、
前記ビット列生成ステップは、
前記選択された地点が前記Ｎ１地点と前記Ｎ２地点の前記第二通信網端末装置である場合に、更に、
前記Ｎ１地点と前記Ｎ２地点の前記第二通信網端末装置それぞれに対するビット列として、前記選択された地点のうちの自地点以外の地点ｎ’（ｎ’はＮ１またはＮ２）の音信号を表す符号であるモノラル符号ＣＭＭｎ’を音信号を表す符号として含むビット列を生成して出力する、
多地点制御方法。
【請求項３】
請求項１または２に記載の多地点制御方法であって、
前記ビット列生成ステップは、
前記選択された地点が前記Ｎ１地点と前記Ｎ２地点の前記第二通信網端末装置である場合に、更に、
前記Ｎ１地点の音信号を表す符号であるモノラル符号ＣＭＭＮ１を前記第１の符号化方式に対応する第１の復号方式で復号して第１復号音信号を得て、前記Ｎ２地点の音信号を表す符号であるモノラル符号ＣＭＭＮ２を前記第１の復号方式で復号して第２復号音信号を得て、前記第１復号音信号と前記第２復号音信号を混合して混合音信号を得て、前記混合音信号を前記第１の符号化方式で符号化してモノラル符号ＣＴＭＮ１Ｎ２を得て、前記混合音信号から得た前記モノラル符号ＣＴＭＮ１Ｎ２を音信号を表す符号として含むビット列を選択されなかった地点の前記各第二通信網端末装置に対するビット列として生成して出力する、
多地点制御方法。
【請求項４】
Ｍ地点（Ｍは１以上の整数）の第一通信網端末装置とＮ地点（Ｎは２以上の整数）の第二通信網端末装置とが通信路を介して接続された多地点制御装置であって、
各時間区間について、
前記各第一通信網端末装置から前記多地点制御装置に通信路を介して入力されるビット列は、該第一通信網端末装置に入力された２個以上のチャンネルの音信号を混合した信号を第１の符号化方式で符号化して得られたモノラル符号ＣＦＭｍ（ｍは１以上Ｍ以下の各整数）と、前記入力された２個以上のチャンネルの音信号の差分に相当する情報を表す符号を含む拡張符号ＣＦＥｍと、を音信号を表す符号として含むビット列であり、
前記各第二通信網端末装置から前記多地点制御装置に通信路を介して入力されるビット列は、該第二通信網端末装置に入力された１チャンネルの音信号を前記第１の符号化方式で符号化して得られたモノラル符号ＣＭＭｎ（ｎは１以上Ｎ以下の各整数）を音信号を表す符号として含むビット列であり、
Ｍ地点の前記第一通信網端末装置とＮ地点の第二通信網端末装置のうちから１地点または２地点を選択する地点選択部と、
前記選択された地点がＮ１地点とＮ２地点の２地点（Ｎ１は１以上Ｎ以下の整数、Ｎ２は１以上Ｎ以下でありＮ１とは異なる整数）の前記第二通信網端末装置である場合に、前記各第一通信網端末装置に対するビット列として、前記Ｎ１地点の音信号を表す符号であるモノラル符号ＣＭＭＮ１と前記Ｎ２地点の音信号を表す符号であるモノラル符号ＣＭＭＮ２とを音信号を表す符号として含むビット列を生成して出力するビット列生成部と、
を含む多地点制御装置。
【請求項５】
請求項４に記載の多地点制御装置であって、
前記ビット列生成部は、
前記選択された地点が前記Ｎ１地点と前記Ｎ２地点の前記第二通信網端末装置である場合に、更に、
前記Ｎ１地点と前記Ｎ２地点の前記第二通信網端末装置それぞれに対するビット列として、前記選択された地点のうちの自地点以外の地点ｎ’（ｎ’はＮ１またはＮ２）の音信号を表す符号であるモノラル符号ＣＭＭｎ’を音信号を表す符号として含むビット列を生成して出力する、
多地点制御装置。
【請求項６】
請求項４または５に記載の多地点制御装置であって、
前記ビット列生成部は、
前記選択された地点が前記Ｎ１地点と前記Ｎ２地点の前記第二通信網端末装置である場合に、更に、
前記Ｎ１地点の音信号を表す符号であるモノラル符号ＣＭＭＮ１を前記第１の符号化方式に対応する第１の復号方式で復号して第１復号音信号を得て、前記Ｎ２地点の音信号を表す符号であるモノラル符号ＣＭＭＮ２を前記第１の復号方式で復号して第２復号音信号を得て、前記第１復号音信号と前記第２復号音信号を混合して混合音信号を得て、前記混合音信号を前記第１の符号化方式で符号化してモノラル符号ＣＴＭＮ１Ｎ２を得て、前記混合音信号から得た前記モノラル符号ＣＴＭＮ１Ｎ２を音信号を表す符号として含むビット列を選択されなかった地点の前記各第二通信網端末装置に対するビット列として生成して出力する、
多地点制御装置。
【請求項７】
請求項１から３の何れかの多地点制御方法の各ステップをコンピュータに実行させるためのプログラム。
【発明の詳細な説明】
【技術分野】
【０００１】
本発明は、多地点で電話会議をするための多地点制御装置（Multipoint Control Unit, MCU）における制御技術、各地点における音信号の符号化技術、各地点における音信号の復号技術、の少なくとも何れかに関する。
【背景技術】
【０００２】
多地点で電話会議をするための多地点制御装置における制御、各地点における音信号の符号化、各地点における音信号の復号の先行技術としては、特許文献１の技術がある。特許文献１の技術は、基本品質符号化と品質拡張符号化によるエンベデッド符号化を用いるものである。各地点の音信号の符号化装置は、入力された音信号について基本品質符号化と品質拡張符号化によるエンベデッド符号化を行って符号を得て多地点制御装置に対して出力する。多地点制御装置は、基本品質符号化の部分については、全地点の符号を復号して音信号を得て、得た音信号をミキシングして、ミキシング後の音信号を符号化して、ミキシング後の音信号から得た符号を各地点に対して送出する。一方、多地点制御装置は、品質拡張符号化の部分については、最重要の１地点の符号を選択してその符号を各地点に対して送出するか、または、重要度が高い複数地点の符号を復号して音信号を得て、得た音信号をミキシングして、ミキシング後の音信号を符号化して、ミキシング後の音信号から得た符号を各地点に対して送出する。各地点の音信号の復号装置は、多地点制御装置が送出した符号を復号することで、全地点の基本品質部分と重要度が高い地点の品質拡張部分とを含む音信号を得る。
【先行技術文献】
【特許文献】
【０００３】
【特許文献１】特開２００５−２２９２５９公報
【発明の概要】
【発明が解決しようとする課題】
【０００４】
特許文献１の技術では、基本品質部分については多地点制御装置において必ず復号してから符号化しており、符号化と復号の組がタンデム接続されている。従って、特許文献１の技術を移動通信で用いられるような高圧縮で演算処理量や所要メモリ量が多い符号化復号方式を用いて実装した場合には、符号化と復号の組がタンデム接続されることによる音質の劣化が顕著となる課題や、多くの復号処理と符号化処理を行うために多地点制御装置の演算処理量や所要メモリ量が多くなってしまう課題がある。
【課題を解決するための手段】
【０００５】
本発明の一態様による多地点制御方法は、Ｍ地点（Ｍは１以上の整数）の第一通信網端末装置とＮ地点（Ｎは２以上の整数）の第二通信網端末装置とが通信路を介して接続された多地点制御装置における多地点制御方法であって、各時間区間について、各第一通信網端末装置から多地点制御装置に通信路を介して入力されるビット列は、該第一通信網端末装置に入力された２個以上のチャンネルの音信号を混合した信号を第１の符号化方式で符号化して得られたモノラル符号ＣＦＭｍ（ｍは１以上Ｍ以下の各整数）と、入力された２個以上のチャンネルの音信号の差分に相当する情報を表す符号を含む拡張符号ＣＦＥｍと、を音信号を表す符号として含むビット列であり、各第二通信網端末装置から多地点制御装置に通信路を介して入力されるビット列は、該第二通信網端末装置に入力された１チャンネルの音信号を第１の符号化方式で符号化して得られたモノラル符号ＣＭＭｎ（ｎは１以上Ｎ以下の各整数）を音信号を表す符号として含むビット列であり、多地点制御装置が、Ｍ地点の第一通信網端末装置とＮ地点の第二通信網端末装置のうちから１地点または２地点を選択する地点選択ステップと、多地点制御装置が、選択された地点がＮ１地点とＮ２地点の２地点（Ｎ１は１以上Ｎ以下の整数、Ｎ２は１以上Ｎ以下でありＮ１とは異なる整数）の第二通信網端末装置である場合に、各第一通信網端末装置に対するビット列として、Ｎ１地点の音信号を表す符号であるモノラル符号ＣＭＭＮ１とＮ２地点の音信号を表す符号であるモノラル符号ＣＭＭＮ２とを音信号を表す符号として含むビット列を生成して出力するビット列生成ステップと、を有する。
【発明の効果】
【０００６】
本発明によれば、移動通信で用いられるような高圧縮な符号化方式を用いて実装した場合であっても、符号化と復号の組のタンデム接続による音質劣化の発生を少なくすることができ、また、多地点制御装置の演算処理量や所要メモリ量を少なくすることができる。
【図面の簡単な説明】
【０００７】
【図１】多地点電話接続システムの例を示すブロック図。
【図２】固定通信端末装置の例を示すブロック図。
【図３】移動通信端末装置の例を示すブロック図。
【図４】多地点制御装置の例を示すブロック図。
【図５】選択地点情報がケース１の情報である場合の音信号を表す符号列の例を模式的に示した図。
【図６】選択地点情報がケース２の情報である場合の音信号を表す符号列の例を模式的に示した図。
【図７】選択地点情報がケース３の情報である場合の音信号を表す符号列の例を模式的に示した図
【図８】選択地点情報がケース４の情報である場合の音信号を表す符号列の例を模式的に示した図。
【図９】選択地点情報がケース５の情報である場合の音信号を表す符号列の例を模式的に示した図。
【図１０】固定通信端末装置の音信号固定送信側装置の処理の例を示す流れ図。
【図１１】固定通信端末装置の音信号固定受信側装置の処理の例を示す流れ図。
【図１２】移動通信端末装置の音信号固定送信側装置の処理の例を示す流れ図。
【図１３】移動通信端末装置の音信号固定受信側装置の処理の例を示す流れ図。
【図１４】多地点制御装置の処理の例を示す流れ図。
【発明を実施するための形態】
【０００８】
多地点電話接続システム１０は、図１に示す通り、多地点制御装置１００と、第一通信網端末装置２００−ｍ（ｍは１以上Ｍ以下の各整数）と、第二通信網端末装置３００−ｎ（ｎは１以上Ｎ以下の各整数）と、を含む。多地点制御装置１００と各第一通信網端末装置２００−ｍは、第一通信網の各伝送路４００−ｍを介して接続されている。多地点制御装置１００と各第二通信網端末装置３００−ｎは、第二通信網の各伝送路５００−ｎを介して接続されている。第一通信網と第二通信網とは、リアルタイム伝送可能な通信容量が異なる通信網である。第一通信網の各伝送路４００−ｍの各方向の通信容量は第二通信網の各伝送路５００−ｎの各方向の通信容量のＫ倍以上（Ｋは２以上の整数）であり、第一通信網端末装置と第二通信網端末装置の合計個数はＫ＋１以上であり、Ｋ＋１個以上の端末装置には少なくとも１個の第一通信網端末装置と少なくとも１個の第二通信網端末装置が含まれており、各端末装置では最大Ｋ地点の端末装置の音信号に対応する復号音信号を再生可能であるとする。すなわち、本発明では、Ｍが１以上であり、かつ、Ｎが１以上であり、かつ、Ｍ＋ＮがＫ＋１以上であればよく、本発明には、各通信網が固定通信であるか移動通信であるか、すなわち、各通信網の伝送路が有線伝送路であるか無線伝送路であるか、などの制約はない。
【０００９】
本発明は、例えば、第一通信網が既存の固定電話の通信網であり第二通信網が既存の携帯電話の通信網である場合にも適用可能である。そこで、理解し易さを考慮して、以降の各実施形態では、第一通信網が既存の固定電話の通信網であり第二通信網が既存の携帯電話の通信網であることを想定した例、具体的には、図１に示す通り、第一通信網端末装置２００−ｍが固定通信端末装置２００−ｍであり、第二通信網端末装置３００−ｎが移動通信端末装置３００−ｎであり、第一通信網の伝送路４００−ｍが固定伝送路４００−ｍであり、第二通信網の伝送路５００−ｎが移動伝送路５００−ｎである例で説明する。
【００１０】
＜第一実施形態＞
まず、第一実施形態の多地点電話接続システムの構成と多地点電話接続システムに含まれる各装置について説明する。
【００１１】
≪多地点電話接続システム１０≫
第一実施形態の多地点電話接続システム１０は、図１に示す通り、多地点制御装置１００と、複数個（Ｍ個）の固定通信端末装置２００−ｍ（ｍは１以上Ｍ以下の各整数）と、複数個（Ｎ個）の移動通信端末装置３００−ｎ（ｎは１以上Ｎ以下の各整数）と、を含む。本実施形態では、固定通信端末装置２００−ｍと移動通信端末装置３００−ｎがそれぞれ２個以上であるとして説明する。すなわち、本実施形態では、Ｍは２以上の整数であり、Ｎは２以上の整数であるとする。多地点制御装置１００と各固定通信端末装置２００−ｍは、例えば固定電話の音声回線用の上り下りの各方向が64kbpsの伝送路などの、固定電話用の電話帯域音声の符号化方式の１チャンネル分の符号をリアルタイム伝送可能な通信容量の各固定伝送路４００−ｍを介して接続されている。固定電話用の電話帯域音声の符号化方式とは、例えばITU-T G.711である。多地点制御装置１００と各移動通信端末装置３００−ｎは、例えば携帯電話の音声回線用の上り下りの各方向が13.2kbpsの伝送路などの、携帯電話用の電話帯域音声の符号化方式の１チャンネル分の符号をリアルタイム伝送可能な通信容量の各移動伝送路５００−ｎを介して接続されている。携帯電話用の電話帯域音声の符号化方式とは、例えば3GPP EVS規格（3GPP TS26.442）の13.2kbpsモードである。
【００１２】
≪固定通信端末装置２００−ｍ≫
固定通信端末装置２００−ｍは、例えば高機能電話機やマイクロホンとスピーカを備えたPCであり、図２に示す通り、音信号固定送信側装置２１０−ｍと音信号固定受信側装置２２０−ｍを含む。音信号固定送信側装置２１０−ｍは収音部２１１−ｍと符号化部２１２−ｍと制御情報付与部２１３−ｍを含む。音信号固定受信側装置２２０−ｍは制御情報解析部２２１−ｍと復号部２２２−ｍと再生部２２３−ｍを含む。
固定通信端末装置２００−ｍの音信号固定送信側装置２１０−ｍは、図１０及び以下に例示するステップＳ２１１からステップＳ２１３の処理を行い、固定通信端末装置２００−ｍの音信号固定受信側装置２２０−ｍは、図１１及び以下に例示するステップＳ２２１からステップＳ２２３の処理を行う。
【００１３】
＜＜音信号固定送信側装置２１０−ｍ＞＞
音信号固定送信側装置２１０−ｍは、例えば20msの所定の時間区間ごとに、すなわちフレームごとに、２個のチャンネルのディジタル音信号に対応する符号を含むビット列である固定端末送出ビット列を得て固定伝送路４００−ｍに出力する。すなわち、音信号固定送信側装置２１０−ｍは固定端末送出ビット列を固定伝送路４００−ｍを介して多地点制御装置１００に対して出力する。
【００１４】
＜収音部２１１−ｍ＞
音信号固定送信側装置２１０−ｍの収音部２１１−ｍは、２個のマイクロホンと２個のAD変換部を含む。各マイクロホンと各AD変換部は一対一に対応付けられている。マイクロホンは、マイクロホンの周辺の空間領域で発生した音を収音してアナログの電気信号に変換してAD変換部に出力する。AD変換部は、入力されたアナログの電気信号を例えばサンプリング周波数が8kHzのPCM信号であるディジタル音信号に変換して出力する。すなわち、収音部２１１−ｍは、２個のマイクロホンのそれぞれで収音した音に対応する２個のチャンネルのディジタル音信号、例えば左チャンネルと右チャンネルの２チャンネルステレオのディジタル音信号、を音信号固定送信側装置２１０−ｍの符号化部２１２−ｍに出力する（ステップＳ２１１）。
【００１５】
＜符号化部２１２−ｍ＞
音信号固定送信側装置２１０−ｍの符号化部２１２−ｍは、フレームごとに、収音部２１１−ｍから入力された２個のチャンネルのディジタル音信号を混合した信号を表す符号であるモノラル符号と、モノラル符号に加えて拡張符号も用いることで入力された２個のチャンネルのディジタル音信号それぞれを表すことができる拡張符号と、を得て、得たモノラル符号と拡張符号を音信号固定送信側装置２１０−ｍの制御情報付与部２１３−ｍに出力する（ステップＳ２１２）。すなわち、符号化部２１２−ｍが得る拡張符号は、拡張符号のみを用いても２個のチャンネルの復号ディジタル音信号の何れも得ることができない符号であり、モノラル符号と併せて用いることで２個のチャンネルの復号ディジタル音信号の両方を得ることができる符号であり、入力された２個のチャンネルのディジタル音信号の差分に相当する情報を表す符号を含む符号である。
【００１６】
２個のチャンネルのディジタル音信号を混合した信号とは、例えば、２個のチャンネルのディジタル音信号の対応するサンプル同士の加算による系列、２個のチャンネルのディジタル音信号の対応するサンプル同士の平均値による系列、２個のチャンネルのディジタル音信号の少なくとも何れかを変形したり時間遅れを与えたものの加算や平均値による系列、これらの加算や平均値による系列を変形して得た系列、などであり、２個のチャンネルのディジタル音信号の和に相当する信号である。
【００１７】
２個のチャンネルのディジタル音信号の差分に相当する情報を表す符号とは、２個のチャンネルのディジタル音信号の差分を表す波形の情報を符号化して得られる符号、２個のチャンネルのディジタル音信号の差分を表す特徴パラメータを表す符号、などである。２個のチャンネルのディジタル音信号の差分を表す波形の情報とは、例えば、一方のチャンネルのディジタル音信号のサンプルから他方のチャンネルのディジタル音信号の対応するサンプルを減算して得た値による系列、一方のチャンネルのディジタル音信号のサンプルから他方のチャンネルのディジタル音信号の対応するサンプルを減算して得た値を２で除算した値による系列、２個のチャンネルのディジタル音信号の少なくとも何れかを変形したり時間遅れを与えたものについて前記の減算または減算と除算をして得た系列、前記の減算または減算と除算をして得た系列を変形して得た系列、前記の何れかの系列の一部、である。２個のチャンネルのディジタル音信号の差分を表す特徴パラメータとは、２個のチャンネルのディジタル音信号の周波数帯域ごとのエネルギーの差、周波数帯域ごとの相関、周波数帯域ごとの位相差などの、チャンネル間の信号の関係や相違の度合いを表す１つまたは複数の特徴量である。
【００１８】
具体的には、符号化部２１２−ｍは、フレームごとに、収音部２１１−ｍから入力された２個のチャンネルのディジタル音信号を混合した信号を所定の第１の符号化方式で符号化してモノラル符号を得て、また、入力された２個のチャンネルのディジタル音信号の差分に相当する情報を表す符号を含む拡張符号を得て、得たモノラル符号と拡張符号を音信号固定送信側装置２１０−ｍの制御情報付与部２１３−ｍに出力する。なお、入力された２個のチャンネルのディジタル音信号の差分に相当する情報を符号化する場合には、符号化部２１２−ｍは、入力された２個のチャンネルのディジタル音信号の差分に相当する情報を所定の第２の符号化方式で符号化して符号を得る。
【００１９】
例えば、符号化部２１２−ｍは、入力された２個のチャンネルのディジタル音信号の対応するサンプル同士の平均値による系列（すなわち、周知のＭＳステレオのＭチャンネルの信号）を所定の第１の符号化方式で符号化してモノラル符号を得て出力し、また、入力された２個のチャンネルのディジタル音信号の対応するサンプル同士について、第１のチャンネルのディジタル音信号のサンプルから第２のディジタル音信号のチャンネルのサンプルを減算して得た値を２で除算した値による系列（周知のＭＳステレオのＳチャンネルの信号）を所定の第２の符号化方式で符号化して符号を得て、得た符号を拡張符号として出力する。
【００２０】
第１の符号化方式としては、全ての音信号固定送信側装置２１０−ｍの符号化部２１２−ｍと、全ての音信号移動送信側装置３１０−ｎの符号化部３１２−ｎと、で同じ符号化方式を用いる。従って、第１の符号化方式としては、モノラル符号のビットレートが移動伝送路５００−ｎの通信容量以下である符号化方式を用いる必要がある。そこで、第１の符号化方式としては、携帯電話用の電話帯域音声の符号化方式、例えば上述した3GPP EVS規格の13.2kbpsモード、を用いればよい。
【００２１】
拡張符号のビットレートは、固定伝送路４００−ｍの通信容量からモノラル符号のビットレートを減算した値以下である必要がある。従って、入力された２個のチャンネルのディジタル音信号の差分に相当する情報を符号化する場合には、第２の符号化方式としては、全ての音信号固定送信側装置２１０−ｍの符号化部２１２−ｍで同じ符号化方式であり、かつ、拡張符号のビットレートが、固定伝送路４００−ｍの通信容量からモノラル符号のビットレートを減算した値以下である符号化方式を用いる必要がある。第２の符号化方式としては、拡張符号のビットレートが上述した条件を満たす範囲内で、２個のチャンネルの音信号の差分に相当する情報、例えば２個のチャンネルの音信号の差信号、を効率良く符号化できる符号化方式を用いればよい。もちろん、第２の符号化方式として第１の符号化方式と同じ符号化方式を用いてもよく、例えば上述した3GPP EVS規格の13.2kbpsモードを第２の符号化方式として用いてもよい。
【００２２】
なお、拡張符号には、入力された２個のチャンネルのディジタル音信号を混合した信号を第１の符号化方式で符号化したときの量子化誤差についての復号信号を復号側で得るための符号も含めてもよい。すなわち、符号化部２１２−ｍは、入力された２個のチャンネルのディジタル音信号を混合した信号を第１の符号化方式で符号化したときの量子化誤差を表す符号も得て、得た量子化誤差を表す符号と上述した差分に相当する情報を表す符号とを拡張符号に含めるようにしてもよい。以下では、量子化誤差を表す符号を誤差符号とも呼び、差分に相当する情報を表す符号を差分符号とも呼ぶ。
【００２３】
例えば、符号化部２１２−ｍは、入力された２個のチャンネルのディジタル音信号の対応するサンプル同士の平均値による系列（すなわち、周知のＭＳステレオのＭチャンネルの信号）を所定の第１の符号化方式で符号化してモノラル符号を得て出力し、第１の符号化方法に対応する復号方法である第１の復号方式でモノラル符号を復号して得られる暫定復号ディジタル音信号を得て、入力された２個のチャンネルのディジタル音信号を混合した信号のサンプルから暫定復号ディジタル音信号の対応するサンプルを減算して量子化誤差系列を得て、得た量子化誤差系列を符号化して誤差符号を得て、入力された２個のチャンネルのディジタル音信号の対応するサンプル同士について、第１のチャンネルのディジタル音信号のサンプルから第２のディジタル音信号のチャンネルのサンプルを減算して得た値を２で除算した値による系列（周知のＭＳステレオのＳチャンネルの信号）を所定の第２の符号化方式で符号化して差分符号を得て、誤差符号と差分符号とを含む拡張符号を出力する。
【００２４】
＜制御情報付与部２１３−ｍ＞
音信号固定送信側装置２１０−ｍの制御情報付与部２１３−ｍは、フレームごとに、入力されたモノラル符号と拡張符号を音信号を表す符号として含み、音信号を表す符号列がどのような符号を含むのかを表す符号情報を表す符号である制御符号を含む、固定端末送出ビット列を得て固定伝送路４００−ｍに出力する（ステップＳ２１３）。
【００２５】
制御情報付与部２１３−ｍが出力する固定端末送出ビット列に含まれる制御符号が表す符号情報は、必ず“音信号を表す符号列が含む符号が１組のモノラル符号と拡張符号であることを表す情報”である。後述する多地点制御装置１００では、入力されたビット列が固定端末送出ビット列であれば、そのビット列に含まれる音信号を表す符号が１組のモノラル符号と拡張符号であることは把握可能である。従って、多地点制御装置１００に入力する目的だけであれば、音信号を表す符号列がどのような符号を含むのかを表す符号情報を表す符号である制御符号を固定端末送出ビット列に含める必要はなく、音信号固定送信側装置２１０−ｍが制御情報付与部２１３−ｍを備えないようにして、符号化部２１２−ｍがモノラル符号と拡張符号を音信号を表す符号として含む固定端末送出ビット列を得て出力するようにしてもよい。なお、固定端末送出ビット列には、その固定端末送出ビット列を得た端末装置を特定する情報、その固定端末送出ビット列が対応するフレームを特定する情報、そのフレームが有音であるか無音であるか（例えば、そのフレームのディジタル音信号のパワーが所定の閾値以上であるか否か）を特定する情報、固定端末送出ビット列に含まれる各符号の固定端末送出ビット列内での位置を特定する情報、などの補助情報を含めてもよい。
【００２６】
＜＜音信号固定受信側装置２２０−ｍ＞＞
音信号固定受信側装置２２０−ｍは、フレームごとに、固定伝送路４００−ｍから入力された固定端末向けビット列に基づく音を出力する。ただし、入力された固定端末向けビット列次第では、音信号固定受信側装置２２０−ｍが音を出力しない場合もある。なお、固定伝送路４００−ｍから入力された固定端末向けビット列は、多地点制御装置１００が固定通信端末装置２００−ｍに対して出力した固定端末向けビット列である。
【００２７】
＜制御情報解析部２２１−ｍ＞
音信号固定受信側装置２２０−ｍの制御情報解析部２２１−ｍは、フレームごとに、入力された固定端末向けビット列に含まれる制御符号が表す符号情報と、入力された固定端末向けビット列に含まれる音信号を表す符号列が含む各符号とを、音信号固定受信側装置２２０−ｍの復号部２２２−ｍに出力する（ステップＳ２２１）。ただし、制御情報解析部２２１−ｍは、入力された固定端末向けビット列に音信号を表す符号列が含まれない場合には、符号は出力しない。すなわち、制御情報解析部２２１−ｍは、フレームごとに、入力された固定端末向けビット列に音信号を表す符号列が含まれている場合には、入力された固定端末向けビット列に含まれる制御符号が表す符号情報と、入力された固定端末向けビット列に含まれる音信号を表す符号列が含む各符号とを出力し、入力された固定端末向けビット列に音信号を表す符号列が含まれていない場合には、入力された固定端末向けビット列に含まれる制御符号が表す符号情報を出力する。
【００２８】
多地点制御装置１００の説明箇所において後述する通り、固定端末向けビット列に含まれる制御符号が表す符号情報と、固定端末向けビット列に含まれる音信号を表す符号列が含む各符号と、の組は下記のケースＡからケースＤの何れかである。従って、制御情報解析部２２１−ｍは、下記のケースＡからケースＤの何れかの符号情報を少なくとも出力し、固定端末向けビット列が音信号を表す符号列を含む場合には音信号を表す符号列が含む符号も出力する。
ケースＡ：符号情報は、“音信号を表す符号列が含む符号が１組のモノラル符号と拡張符号であることを表す情報”。音信号を表す符号列が含む符号は、１組のモノラル符号と拡張符号。
ケースＢ：符号情報は、“音信号を表す符号列が含む符号が２個のモノラル符号であることを表す情報”。音信号を表す符号列が含む符号は、２個のモノラル符号。
ケースＣ：符号情報は、“音信号を表す符号列が含む符号が１個のモノラル符号であることを表す情報”。音信号を表す符号列が含む符号は、１個のモノラル符号。
ケースＤ：符号情報は、“音信号を表す符号列が無いことを表す情報”。音信号を表す符号列が含む符号は、無し。
【００２９】
＜復号部２２２−ｍ＞
音信号固定受信側装置２２０−ｍの復号部２２２−ｍは、フレームごとに、入力された符号情報に基づいて、入力された符号がある場合には、入力された符号を復号して１個または２個の復号ディジタル音信号を得て、音信号固定受信側装置２２０−ｍの再生部２２３−ｍに出力する（ステップＳ２２２）。具体的には、復号部２２２−ｍはフレームごとに下記のケースＡからケースＤの何れかの処理を行う。
【００３０】
［ケースＡ］
復号部２２２−ｍは、入力された符号情報が“音信号を表す符号列が含む符号が１組のモノラル符号と拡張符号であることを表す情報”である場合には、入力されたモノラル符号を所定の第１の復号方式で復号して暫定復号ディジタル音信号を得て、入力された拡張符号に含まれる差分に相当する情報を表す符号（差分符号）から復号差分情報を得て、得た暫定復号ディジタル音信号と復号差分情報とから、暫定復号ディジタル音信号が２個の復号ディジタル音信号が混合された信号であると見做し、復号差分情報が２個の復号ディジタル音信号の差分に相当する情報であると見做して、２個の復号ディジタル音信号を得て出力する。なお、差分符号が符号化された情報である場合には、すなわち、対応する音信号固定送信側装置２１０−ｍの符号化部２１２−ｍが入力された２個のチャンネルのディジタル音信号の差分に相当する情報を所定の第２の符号化方式で符号化して差分符号を得た場合には、復号部２２２−ｍは、入力された拡張符号に含まれる差分符号を所定の第２の復号方式で復号して復号差分情報を得る。
【００３１】
例えば、復号部２２２−ｍは、入力されたモノラル符号を所定の第１の復号方式で復号して第１の暫定復号ディジタル音信号を得て、入力された拡張符号に含まれる差分符号を所定の第２の復号方式で復号して第２の暫定復号ディジタル音信号を得て、第１の暫定復号ディジタル音信号が周知のＭＳステレオのＭチャンネルの信号であるとし、第２の暫定復号ディジタル音信号が周知のＭＳステレオのＳチャンネルの信号であるとして、第１の暫定復号ディジタル音信号と第２の暫定復号ディジタル音信号の対応するサンプル同士を加算した値による系列である第１の復号ディジタル音信号と、対応するサンプル同士について第１の暫定復号ディジタル音信号のサンプルから第２の暫定復号ディジタル音信号のサンプルを減算して得た値による系列である第２の復号ディジタル音信号と、を得て出力する。
【００３２】
なお、拡張符号に差分符号と誤差符号とが含まれている場合には、復号部２２２−ｍは、入力されたモノラル符号を所定の第１の復号方式で復号して暫定復号ディジタル音信号を得て、入力された拡張符号に含まれる誤差符号から復号誤差情報を得て、入力された拡張符号に含まれる差分符号から復号差分情報を得て、得た暫定復号ディジタル音信号と復号誤差情報と復号差分情報とから、暫定復号ディジタル音信号が２個の復号ディジタル音信号が混合された信号であると見做し、復号誤差情報が暫定復号ディジタル音信号の誤差に相当する情報であると見做し、復号差分情報が２個の復号ディジタル音信号の差分に相当する情報であると見做して、２個の復号ディジタル音信号を得て出力する。
【００３３】
この場合には、例えば、復号部２２２−ｍは、入力されたモノラル符号を所定の第１の復号方式で復号して第１の暫定復号ディジタル音信号を得て、入力された拡張符号に含まれる誤差符号を復号して第３の暫定復号ディジタル音信号を得て、入力された拡張符号に含まれる差分符号を所定の第２の復号方式で復号して第２の暫定復号ディジタル音信号を得て、第１の暫定復号ディジタル音信号と第３の暫定復号ディジタル音信号を加算して第４の暫定復号ディジタル音信号を得て、第４の暫定復号ディジタル音信号が周知のＭＳステレオのＭチャンネルの信号であるとし、第２の暫定復号ディジタル音信号が周知のＭＳステレオのＳチャンネルの信号であるとして、第４の暫定復号ディジタル音信号と第２の暫定復号ディジタル音信号の対応するサンプル同士を加算した値による系列である第１の復号ディジタル音信号と、対応するサンプル同士について第４の暫定復号ディジタル音信号のサンプルから第２の暫定復号ディジタル音信号のサンプルを減算して得た値による系列である第２の復号ディジタル音信号と、を得て出力する。
【００３４】
［ケースＢ］
復号部２２２−ｍは、入力された符号情報が“音信号を表す符号列が含む符号が２個のモノラル符号であることを表す情報”である場合には、入力された２個のモノラル符号それぞれを所定の第１の復号方式で復号して２個の復号ディジタル音信号を得て出力する。
【００３５】
［ケースＣ］
復号部２２２−ｍは、入力された符号情報が、“音信号を表す符号列が含む符号が１個のモノラル符号であることを表す情報”である場合には、入力されたモノラル符号を所定の第１の復号方式で復号して１個の復号ディジタル音信号を得て出力する。なお、この場合には、復号部２２２−ｍは、もう１個の復号ディジタル音信号として、無音であることに対応する復号ディジタル音信号、すなわち、全てのサンプルの振幅が０である復号ディジタル音信号を得て出力してもよい。また、この場合には、復号部２２２−ｍは、もう１個の復号ディジタル音信号として、所定の規則により発生させた背景雑音信号に対応する復号ディジタル音信号、例えば、振幅が小さい白色雑音やその白色雑音をフィルタリングした信号などの復号ディジタル音信号を得て出力してもよい。
【００３６】
［ケースＤ］
復号部２２２−ｍは、“音信号を表す符号列が無いことを表す情報”である場合には、符号の復号はせずに、復号ディジタル音信号は出力しない。なお、この場合には、復号部２２２−ｍは、無音であることに対応する復号ディジタル音信号、すなわち、全てのサンプルの振幅が０である復号ディジタル音信号を１個または２個得て出力してもよい。また、この場合には、復号部２２２−ｍは、所定の規則により発生させた背景雑音信号に対応する復号ディジタル音信号、例えば、振幅が小さい白色雑音やその白色雑音をフィルタリングした信号などの復号ディジタル音信号を１個または２個得て出力してもよい。
【００３７】
なお、復号部２２２−ｍは、第１の復号方式としては、音信号固定送信側装置２１０−ｍの符号化部２１２−ｍと音信号移動送信側装置３１０−ｎの符号化部３１２−ｎで用いた第１の符号化方式に対応する復号方式を用いる。また、復号部２２２−ｍは、第２の復号方式としては、音信号固定送信側装置２１０−ｍの符号化部２１２−ｍで用いた第２の符号化方式に対応する復号方式を用いる。
【００３８】
＜再生部２２３−ｍ＞
音信号固定受信側装置２２０−ｍの再生部２２３−ｍは、入力された１個または２個の復号ディジタル音信号に対応する音を出力する（ステップＳ２２３）。復号ディジタル音信号が入力されなかった場合には、音を出力しない。
【００３９】
再生部２２３−ｍは、例えば、２個のDA変換部と２個のスピーカを含む。DA変換部は、入力された復号ディジタル音信号をアナログの電気信号に変換して出力する。スピーカは、DA変換部から入力されたアナログの電気信号に対応する音を発生する。スピーカは、ステレオヘッドフォンやステレオイヤホンに備えられたものであってもよい。この場合には、例えば、再生部２２３−ｍは、２個の復号ディジタル音信号が入力された場合には、DA変換部とスピーカを一対一に対応付けて、２個の復号ディジタル音信号それぞれに対応する音を２個のスピーカそれぞれから発生する。また、再生部２２３−ｍは、１個の復号ディジタル音信号が入力された場合には、１個のDA変換部を用いて１個のアナログの電気信号を得て、得た１個のアナログの電気信号を１個または２個のスピーカに入力して１個または２個のスピーカから音を発生する。もちろん、２個の復号ディジタル音信号が入力された場合でも、DA変換部が得た２個のアナログの電気信号を混合して１個または２個のスピーカに入力して１個または２個のスピーカから音を発生するようにしてもよいし、スピーカを１個のみ備えるようにしてもよい。すなわち、再生部２２３−ｍは、入力された全ての復号ディジタル音信号に対応する音を発生するようにすれば、どのような構成であってもよい。
【００４０】
≪移動通信端末装置３００−ｎ≫
それぞれの移動通信端末装置３００−ｎは、例えば携帯電話機であり、図３に示す通り、音信号移動送信側装置３１０−ｎと音信号移動受信側装置３２０−ｎを含む。音信号移動送信側装置３１０−ｎは収音部３１１−ｎと符号化部３１２−ｎと送出符号生成部３１３−ｎを含む。音信号移動受信側装置３２０−ｎは入力符号分離部３２１−ｎと復号部３２２−ｎと再生部３２３−ｎを含む。
移動通信端末装置３００−ｎの音信号移動送送信側装置３１０−ｎは、図１２及び以下に例示するステップＳ３１１からステップＳ３１３の処理を行い、移動通信端末装置３００−ｎの音信号移動受信側装置３２０−ｍは、図１３及び以下に例示するステップＳ３２１からステップＳ３２３の処理を行う。
【００４１】
＜＜音信号移動送信側装置３１０−ｎ＞＞
音信号移動送信側装置３１０−ｎは、フレームごとに、１個のチャンネルのディジタル音信号に対応する符号を含むビット列である移動端末送出ビット列を得て、移動伝送路５００−ｎに出力する。すなわち、音信号移動送信側装置３１０−ｎは移動端末送出ビット列を移動伝送路５００−ｎを介して多地点制御装置１００に対して出力する。
【００４２】
＜収音部３１１−ｎ＞
音信号移動送信側装置３１０−ｎの収音部３１１−ｎは、１個のマイクロホンと１個のAD変換部を含む。マイクロホンは、マイクロホンの周辺の空間領域で発生した音を収音してアナログの電気信号に変換してAD変換部に出力する。AD変換部は、入力されたアナログの電気信号を例えばサンプリング周波数が8kHzのPCM信号であるディジタル音信号に変換して出力する。すなわち、収音部３１１−ｎは、１個のマイクロホンで収音した音に対応する１個のチャンネルのディジタル音信号を音信号移動送信側装置３１０−ｎの符号化部３１２−ｎに出力する（ステップＳ３１１）。
【００４３】
＜符号化部３１２−ｎ＞
音信号移動送信側装置３１０−ｎの符号化部３１２−ｎは、フレームごとに、収音部３１１−ｎから入力された１個のチャンネルのディジタル音信号を上述した第１の符号化方式で符号化してモノラル符号を得て、得たモノラル符号を音信号移動送信側装置３１０−ｎの送出符号生成部３１３−ｎに出力する（ステップＳ３１２）。
【００４４】
＜送出符号生成部３１３−ｎ＞
音信号移動送信側装置３１０−ｎの送出符号生成部３１３−ｎは、フレームごとに、入力されたモノラル符号を音信号を表す符号として含む移動端末送出ビット列を得て移動伝送路５００−ｎに出力する（ステップＳ３１３）。
【００４５】
なお、移動端末送出ビット列には、その移動端末送出ビット列を得た端末装置を特定する情報、その移動端末送出ビット列が対応するフレームを特定する情報、そのフレームが有音であるか無音であるか（例えば、そのフレームのディジタル音信号のパワーが所定の閾値以上であるか否か）を特定する情報、移動端末送出ビット列に含まれる各符号の移動端末送出ビット列内での位置を特定する情報、などの補助情報を含めてもよいし、音信号を表す符号列がどのような符号を含むのかを表す符号情報を表す符号である制御符号を含めてもよい。また、音信号移動送信側装置３１０−ｎが送出符号生成部３１３−ｎを備えないようにして、符号化部３１２−ｎがモノラル符号を音信号を表す符号として含む移動端末送出ビット列を得て出力するようにしてもよい。
【００４６】
＜＜音信号移動受信側装置３２０−ｎ＞＞
音信号移動受信側装置３２０−ｎは、フレームごとに、移動伝送路５００−ｎから入力された移動端末向けビット列に基づく音を出力する。ただし、入力された移動端末向けビット列次第では、音信号移動受信側装置３２０−ｎが音を出力しない場合もある。なお、移動伝送路５００−ｎから入力された移動端末向けビット列は、多地点制御装置１００が移動通信端末装置３００−ｎに対して出力した移動端末向けビット列である。
【００４７】
＜入力符号分離部３２１−ｎ＞
音信号移動受信側装置３２０−ｎの入力符号分離部３２１−ｎは、フレームごとに、入力された移動端末向けビット列に含まれる音信号を表す符号列が含む１個のモノラル符号を音信号移動受信側装置３２０−ｎの復号部３２２−ｎに出力する（ステップＳ３２１）。ただし、入力符号分離部３２１−ｎは、入力された移動端末向けビット列に音信号を表す符号列が含まれない場合には、符号は出力しない。すなわち、入力符号分離部３２１−ｎは、フレームごとに、入力された移動端末向けビット列に音信号を表す符号列が含まれている場合には、入力された移動端末向けビット列に含まれる音信号を表す符号列が含む１個のモノラル符号を出力し、入力された移動端末向けビット列に音信号を表す符号列が含まれていない場合には、符号を出力しない。
【００４８】
＜復号部３２２−ｎ＞
音信号移動受信側装置３２０−ｎの復号部３２２−ｎは、フレームごとに、モノラル符号が入力された場合には、入力された１個のモノラル符号を上述した第１の復号方式で復号して１個の復号ディジタル音信号を得て、音信号移動受信側装置３２０−ｎの再生部３２３−ｎに出力する（ステップＳ３２２）。復号部３２２−ｎは、符号が入力されなかった場合には、復号部３２２−ｎは復号ディジタル音信号を出力しない。ただし、符号が入力されなかった場合には、復号部３２２−ｎは、無音であることに対応する復号ディジタル音信号、すなわち、全てのサンプルの振幅が０である復号ディジタル音信号を得て出力してもよい。また、符号が入力されなかった場合には、復号部３２２−ｎは、所定の規則により発生させた背景雑音信号に対応する復号ディジタル音信号、例えば、振幅が小さい白色雑音やその白色雑音をフィルタリングした信号などの復号ディジタル音信号を得て出力してもよい。
【００４９】
＜再生部３２３−ｎ＞
音信号移動受信側装置３２０−ｎの再生部３２３−ｎは、入力された１個の復号ディジタル音信号に対応する音を出力する（ステップＳ３２３）。復号ディジタル音信号が入力されなかった場合には、音を出力しない。
【００５０】
再生部３２３−ｎは、例えば、１個以上のDA変換部と１個以上のスピーカを含む。DA変換部は、入力された復号ディジタル音信号をアナログの電気信号に変換して出力する。スピーカは、DA変換部から入力されたアナログの電気信号に対応する音を発生する。スピーカは、ヘッドセットやヘッドフォンやイヤホンに備えられたものであってもよい。スピーカとしてステレオヘッドフォンやステレオイヤホンなどの複数個のスピーカを用いる場合には、１個のDA変換部が出力したアナログの電気信号を複数個のスピーカに入力するようにしてもよいし、入力された１個の復号ディジタル音信号を複数個のDA変換部に入力して複数個のアナログの電気信号を得て複数個のスピーカに入力するようにしてもよい。すなわち、再生部３２３−ｎは、入力された１個の復号ディジタル音信号に対応する音を発生するようにすれば、どのような構成としてもよい。
【００５１】
＜＜多地点制御装置１００＞＞
多地点制御装置１００は、図４に示す通り、地点選択部１１０とビット列生成部１２０を含む。多地点制御装置１００は、図１２及び以下に例示するステップＳ１１０からステップＳ１２０の処理を行う。多地点制御装置１００には、固定伝送路４００−ｍから固定端末送出ビット列が入力され、移動伝送路５００−ｎから移動端末送出ビット列が入力される。すなわち、各固定通信端末装置２００−ｍの音信号固定送信側装置２１０−ｍが出力した固定端末送出ビット列が各固定伝送路４００−ｍを介して入力され、各移動通信端末装置３００−ｎの音信号移動送信側装置３１０−ｎが出力した移動端末送出ビット列が各移動伝送路５００−ｎを介して入力される。多地点制御装置１００は、フレームごとに、入力された固定端末送出ビット列と移動端末送出ビット列とに基づいて、各固定通信端末装置２００−ｍに対する固定端末向けビット列を生成して各固定伝送路４００−ｍに出力し、各移動通信端末装置３００−ｎに対する移動端末向けビット列を生成して各移動伝送路５００−ｎに出力する。すなわち、多地点制御装置１００は、フレームごとに、各固定通信端末装置２００−ｍの音信号固定受信側装置２２０−ｍに対する固定端末向けビット列を生成して各固定伝送路４００−ｍを介して各固定通信端末装置２００−ｍの音信号固定受信側装置２２０−ｍに対して出力し、各移動通信端末装置３００−ｎの音信号移動受信側装置３２０−ｎに対する移動端末向けビット列を生成して各移動伝送路５００−ｎを介して各移動通信端末装置３００−ｎの音信号移動受信側装置３２０−ｎに対して出力する。
【００５２】
＜地点選択部１１０＞
地点選択部１１０には、多地点制御装置１００に入力された固定端末送出ビット列と、多地点制御装置１００に入力された移動端末送出ビット列と、が入力される。地点選択部１１０は、フレームごとに、多地点制御装置１００に接続された全地点、すなわち、Ｍ個の固定通信端末装置とＮ個の移動通信端末装置、から１個または２個の地点を選択して、選択した地点を特定可能な情報を出力する（ステップＳ１１０）。地点選択部１１０は、予め定めた選択基準に基づいて地点を選択すればよく、選択基準としては、重要度合いが高い地点を選択できる基準を予め定めておき、地点選択部１１０が選択を実行できるようにしておけばよい。
【００５３】
例えば、選択基準として音信号のパワーを用いるのであれば、地点選択部１１０は、フレームごとに、入力されたＭ個の固定端末送出ビット列に含まれるモノラル符号とＮ個の移動端末送出ビット列に含まれるモノラル符号のそれぞれからＭ＋Ｎ個の復号ディジタル音信号それぞれのパワーを表す情報を得て、Ｍ＋Ｎ個の復号ディジタル音信号のうちのパワーが最大である復号ディジタル音信号に対応する端末装置を特定可能な情報と、Ｍ＋Ｎ個の復号ディジタル音信号のうちのパワーが２番目に大きくかつ所定の閾値以上である復号ディジタル音信号に対応する端末装置を特定可能な情報と、を得て、選択地点情報としてビット列生成部１２０に出力する。閾値は、例えば、復号ディジタル音信号が背景雑音のみを含むと想定される場合のパワーより大きな値などであり、予め実験等により定めておけばよい。これにより、地点選択部１１０は、多地点制御装置１００に接続された全地点から１個または２個の地点を選択して、選択した地点を特定可能な情報を出力することになる。
【００５４】
例えば、地点選択部１１０は、復号ディジタル音信号のパワーが最大である端末装置が固定通信端末装置２００−１であれば、固定通信端末装置２００−１を特定可能な情報として“Ｆｉｘ−１”という情報を得ればよい。また、例えば、地点選択部１１０は、復号ディジタル音信号のパワーが２番目に大きくかつ所定の閾値以上である端末装置が移動通信端末装置３００−２であれば、移動通信端末装置３００−２を特定可能な情報として“Ｍｏｂｉｌｅ−２”という情報も得ればよい。すなわち、地点選択部１１０は、下記のケース１からケース５の何れかの情報を選択地点情報として出力する。
ケース１：“Ｆｉｘ−Ｍ１”（ただし、Ｍ１は１以上Ｍ以下の何れか１つの整数。）
ケース２：“Ｍｏｂｉｌｅ−Ｎ１”（ただし、Ｎ１は１以上Ｎ以下の何れか１つの整数。）
ケース３：“Ｆｉｘ−Ｍ１”と“Ｆｉｘ−Ｍ２”の組（ただし、Ｍ１は１以上Ｍ以下の何れか１つの整数であり、Ｍ２は１以上Ｍ以下でありＭ１とは異なる何れか１つの整数。）
ケース４：“Ｆｉｘ−Ｍ１”と“Ｍｏｂｉｌｅ−Ｎ１”の組（ただし、Ｍ１は１以上Ｍ以下の何れか１つの整数であり、Ｎ１は１以上Ｎ以下の何れか１つの整数。）
ケース５：“Ｍｏｂｉｌｅ−Ｎ１”と“Ｍｏｂｉｌｅ−Ｎ２”の組（ただし、Ｎ１は１以上Ｎ以下の何れか１つの整数であり、Ｎ２は１以上Ｎ以下でありＮ１とは異なる何れか１つの整数。）
【００５５】
なお、各復号ディジタル音信号のパワーを表す情報は、入力されたＭ個の固定端末送出ビット列とＮ個の移動端末送出ビット列のそれぞれから周知の方法で得ればよい。例えば、地点選択部１１０は、フレームごとに、入力されたＭ個の固定端末送出ビット列に含まれるモノラル符号とＮ個の移動端末送出ビット列に含まれるモノラル符号のそれぞれを上述した第１の復号方式で復号してＭ＋Ｎ個の復号ディジタル音信号を得て、得たＭ＋Ｎ個の復号ディジタル音信号それぞれのパワーを計算してパワーを表す情報として得てもよい。また例えば、地点選択部１１０は、フレームごとに、入力されたＭ個の固定端末送出ビット列に含まれるモノラル符号に含まれるパワーを表す符号とＮ個の移動端末送出ビット列に含まれるモノラル符号に含まれるパワーを表す符号のそれぞれが表す値をパワーを表す情報として得てもよい。
【００５６】
また、固定端末送出ビット列と移動端末送出ビット列のそれぞれにそのフレームが有音であるか無音であるかを特定する情報が含まれている場合には、地点選択部１１０は、フレームごとに、入力されたＭ＋Ｎ個の有音であるか無音であるかを特定する情報を用いて周知の方法により１個または２個の端末装置を選択して、選択した端末装置を特定可能な情報を選択地点情報としてビット列生成部１２０に出力してもよい。
【００５７】
＜ビット列生成部１２０＞
ビット列生成部１２０には、多地点制御装置１００に入力された固定端末送出ビット列と、多地点制御装置１００に入力された移動端末送出ビット列と、地点選択部１１０が出力した選択地点情報と、が入力される。ビット列生成部１２０は、フレームごとに、入力された選択地点情報に基づいて、入力された固定端末送出ビット列と入力された移動端末送出ビット列を用いて、各固定通信端末装置２００−ｍに対して出力する固定端末向けビット列と各移動通信端末装置３００−ｎに対して出力する移動端末向けビット列を生成して出力する（ステップＳ１２０）。具体的には、ビット列生成部１２０はフレームごとに下記の何れかの処理を行う。
【００５８】
［選択地点情報がケース１の情報である場合］
ビット列生成部１２０は、選択地点情報が“Ｆｉｘ−Ｍ１”という情報である場合には、下記の３通りのビット列を生成して出力する。図５は、この場合の音信号を表す符号列を模式的に示した図である。
【００５９】
なお、図５及び後述する図６から図９では、固定通信端末装置２００−ｍが出力した固定端末送出ビット列に含まれるモノラル符号と拡張符号をそれぞれＣＦＭｍとＣＦＥｍと表記し、移動通信端末装置３００−ｎが出力した移動端末送出ビット列に含まれるモノラル符号をＣＭＭnと表記してある。
【００６０】
ビット列生成部１２０が出力する１通り目のビット列は、音信号を表す符号列を含まない固定端末向けビット列である。選択地点情報が“Ｆｉｘ−Ｍ１”であるということは、各端末装置で必要な音は固定通信端末装置２００−Ｍ１が収音した音のみである。しかし、固定通信端末装置２００−Ｍ１には固定通信端末装置２００−Ｍ１が収音した音は存在しているので、多地点制御装置１００が固定通信端末装置２００−Ｍ１に対して固定通信端末装置２００−Ｍ１が収音した音を伝える必要は無い。そこで、ビット列生成部１２０は、音信号を表す符号列を含まない固定端末向けビット列を生成して固定通信端末装置２００−Ｍ１に対して出力する。具体的には、ビット列生成部１２０は、音信号を表す符号列を含まず、符号情報が“音信号を表す符号列が無いことを表す情報”であることを表す制御符号を含む、固定端末向けビット列を生成して固定通信端末装置２００−Ｍ１が接続された固定伝送路４００−Ｍ１に出力する。
【００６１】
ビット列生成部１２０が出力する２通り目のビット列は、固定通信端末装置２００−Ｍ１が出力した固定端末送出ビット列に含まれるモノラル符号ＣＦＭＭ１と拡張符号ＣＦＥＭ１を音信号を表す符号として含む固定端末向けビット列である。上述した通り、選択地点情報が“Ｆｉｘ−Ｍ１”であるということは、各端末装置で必要な音は固定通信端末装置２００−Ｍ１が収音した音のみである。従って、固定通信端末装置２００−Ｍ１以外の各固定通信端末装置２００−ｍｅｌｓｅ（ｍｅｌｓｅは、１以上Ｍ以下でありＭ１とは異なる各整数）では固定通信端末装置２００−Ｍ１が収音した音を可能な限り高品質に出力するのが好ましい。そこで、ビット列生成部１２０は、固定通信端末装置２００−Ｍ１が出力した固定端末送出ビット列に含まれるモノラル符号ＣＦＭＭ１と拡張符号ＣＦＥＭ１を音信号を表す符号として含む固定端末向けビット列を生成して、各固定通信端末装置２００−ｍｅｌｓｅに対して出力する。具体的には、ビット列生成部１２０は、固定通信端末装置２００−Ｍ１が出力した固定端末送出ビット列に含まれるモノラル符号ＣＦＭＭ１と拡張符号ＣＦＥＭ１を音信号を表す符号として含み、符号情報が“音信号を表す符号列が含む符号が１組のモノラル符号と拡張符号であることを表す情報”であることを表す制御符号を含む、固定端末向けビット列を生成して、各固定通信端末装置２００−ｍｅｌｓｅが接続された各固定伝送路４００−ｍｅｌｓｅに出力する。すなわち、固定通信端末装置２００−ｍｅｌｓｅ向けの固定端末向けビット列に含まれる音信号を表す符号列には、モノラル符号ＣＦＭＭ１と拡張符号ＣＦＥＭ１が音信号を表す符号として含まれる。
【００６２】
ビット列生成部１２０が出力する３通り目のビット列は、固定通信端末装置２００−Ｍ１が出力した固定端末送出ビット列に含まれるモノラル符号ＣＦＭＭ１を音信号を表す符号として含む移動端末向けビット列である。上述した通り、選択地点情報が“Ｆｉｘ−Ｍ１”であるということは、各端末装置で必要な音は固定通信端末装置２００−Ｍ１が収音した音のみである。従って、各移動通信端末装置３００−ｎ（ｎは、１以上Ｎ以下の各整数）では固定通信端末装置２００−Ｍ１が収音した音を可能な限り高品質に出力するのが好ましい。しかし、多地点制御装置１００と各移動通信端末装置３００−ｎを介する移動伝送路５００−ｎの通信容量は、１個のモノラル符号に加えて拡張符号も送れるほど大きくない。そこで、ビット列生成部１２０は、固定通信端末装置２００−Ｍ１が出力した固定端末送出ビット列に含まれるモノラル符号ＣＦＭＭ１を音信号を表す符号として含む移動端末向けビット列を生成して、各移動通信端末装置３００−ｎに対して出力する、すなわち、各移動通信端末装置３００−ｎが接続された各移動伝送路５００−ｎに出力する。すなわち、移動通信端末装置３００−ｎ向けの移動端末向けビット列に含まれる音信号を表す符号列には、モノラル符号ＣＦＭＭ１が音信号を表す符号として含まれる。
【００６３】
［選択地点情報がケース２の情報である場合］
ビット列生成部１２０は、選択地点情報が“Ｍｏｂｉｌｅ−Ｎ１”という情報である場合には、下記の３通りのビット列を生成して出力する。図６は、この場合の音信号を表す符号列を模式的に示した図である。
【００６４】
ビット列生成部１２０が出力する１通り目のビット列は、音信号を表す符号列を含まない移動端末向けビット列である。選択地点情報が“Ｍｏｂｉｌｅ−Ｎ１”であるということは、各端末装置で必要な音は移動通信端末装置３００−Ｎ１が収音した音のみである。しかし、移動通信端末装置３００−Ｎ１には移動通信端末装置３００−Ｎ１が収音した音は存在しているので、多地点制御装置１００が移動通信端末装置３００−Ｎ１に対して移動通信端末装置３００−Ｎ１が収音した音を伝える必要は無い。そこで、ビット列生成部１２０は、音信号を表す符号列を含まない移動端末向けビット列を生成して移動通信端末装置３００−Ｎ１に対して出力する、すなわち、移動通信端末装置３００−Ｎ１が接続された移動伝送路５００−Ｎ１に出力する。
【００６５】
ビット列生成部１２０が出力する２通り目のビット列は、移動通信端末装置３００−Ｎ１が出力した移動端末送出ビット列に含まれるモノラル符号ＣＭＭＮ１を音信号を表す符号として含む移動端末向けビット列である。上述した通り、選択地点情報が“Ｍｏｂｉｌｅ−Ｎ１”であるということは、各端末装置で必要な音は移動通信端末装置３００−Ｎ１が収音した音のみである。従って、移動通信端末装置３００−Ｎ１以外の各移動通信端末装置３００−ｎｅｌｓｅ（ｎｅｌｓｅは、１以上Ｎ以下でありＮ１とは異なる各整数）では移動通信端末装置３００−Ｎ１が収音した音を可能な限り高品質に出力するのが好ましい。そこで、ビット列生成部１２０は、移動通信端末装置３００−Ｎ１が出力した移動端末送出ビット列に含まれるモノラル符号ＣＭＭＮ１を音信号を表す符号として含む移動端末向けビット列を生成して、各移動通信端末装置３００−ｎｅｌｓｅに対して出力する、すなわち、各移動通信端末装置３００−ｎｅｌｓｅが接続された各移動伝送路５００−ｎｅｌｓｅに出力する。すなわち、移動通信端末装置３００−ｎｅｌｓｅ向けの移動端末向けビット列に含まれる音信号を表す符号列には、モノラル符号ＣＭＭＮ１が音信号を表す符号として含まれる。
【００６６】
ビット列生成部１２０が出力する３通り目のビット列は、移動通信端末装置３００−Ｎ１が出力した移動端末送出ビット列に含まれるモノラル符号ＣＭＭＮ１を音信号を表す符号として含む固定端末向けビット列である。上述した通り、選択地点情報が“Ｍｏｂｉｌｅ−Ｎ１”であるということは、各端末装置で必要な音は移動通信端末装置３００−Ｎ１が収音した音のみである。従って、各固定通信端末装置２００−ｍ（ｍは、１以上Ｍ以下の各整数）では移動通信端末装置３００−Ｎ１が収音した音を可能な限り高品質に出力するのが好ましい。ただし、移動通信端末装置３００−Ｎ１が出力した移動端末送出ビット列に含まれる音信号を表す符号はモノラル符号ＣＭＭＮ１のみであり、移動通信端末装置３００−Ｎ１が出力した移動端末送出ビット列には拡張符号は含まれない。そこで、ビット列生成部１２０は、移動通信端末装置３００−Ｎ１が出力した移動端末送出ビット列に含まれるモノラル符号ＣＭＭＮ１を音信号を表す符号として含む固定端末向けビット列を生成して、各固定通信端末装置２００−ｍに対して出力する。具体的には、ビット列生成部１２０は、移動通信端末装置３００−Ｎ１が出力した移動端末送出ビット列に含まれるモノラル符号ＣＭＭＮ１を音信号を表す符号として含み、符号情報が“音信号を表す符号列が含む符号が１個のモノラル符号であることを表す情報”であることを表す制御符号を含む、固定端末向けビット列を生成して、各固定通信端末装置２００−ｍが接続された各固定伝送路４００−ｍに出力する。すなわち、固定通信端末装置２００−ｍ向けの固定端末向けビット列に含まれる音信号を表す符号列には、モノラル符号ＣＭＭＮ１が音信号を表す符号として含まれる。
【００６７】
［選択地点情報がケース３の情報である場合］
ビット列生成部１２０は、選択地点情報が“Ｆｉｘ−Ｍ１”と“Ｆｉｘ−Ｍ２”という情報である場合には、下記の４通りのビット列を生成して出力する。ただし、Ｍ＝２の場合には、下記の３通り目のビット列を生成して出力する必要は無いため、下記の１通り目と２通り目と４通り目の３通りのビット列を生成して出力する。図７は、この場合の音信号を表す符号列を模式的に示した図である。
【００６８】
ビット列生成部１２０が出力する１通り目のビット列は、固定通信端末装置２００−Ｍ２が出力した固定端末送出ビット列に含まれるモノラル符号ＣＦＭＭ２と拡張符号ＣＦＥＭ２を音信号を表す符号として含む固定端末向けビット列である。選択地点情報が“Ｆｉｘ−Ｍ１”と“Ｆｉｘ−Ｍ２”であるということは、各端末装置で必要な音は固定通信端末装置２００−Ｍ１が収音した音と固定通信端末装置２００−Ｍ２が収音した音である。しかし、固定通信端末装置２００−Ｍ１には固定通信端末装置２００−Ｍ１が収音した音は存在しているので、多地点制御装置１００が固定通信端末装置２００−Ｍ１に対して固定通信端末装置２００−Ｍ１が収音した音を伝える必要は無い。従って、固定通信端末装置２００−Ｍ１では固定通信端末装置２００−Ｍ２が収音した音を可能な限り品質に出力するのが好ましい。そこで、ビット列生成部１２０は、固定通信端末装置２００−Ｍ２が出力した固定端末送出ビット列に含まれるモノラル符号ＣＦＭＭ２と拡張符号ＣＦＥＭ２を音信号を表す符号として含む固定端末向けビット列を生成して、固定通信端末装置２００−Ｍ１に対して出力する。具体的には、ビット列生成部１２０は、固定通信端末装置２００−Ｍ２が出力した固定端末送出ビット列に含まれるモノラル符号ＣＦＭＭ２と拡張符号ＣＦＥＭ２を音信号を表す符号として含み、符号情報が“音信号を表す符号列が含む符号が１組のモノラル符号と拡張符号であることを表す情報”であることを表す制御符号を含む、固定端末向けビット列を生成して、固定通信端末装置２００−Ｍ１が接続された固定伝送路４００−Ｍ１に出力する。すなわち、固定通信端末装置２００−Ｍ１向けの固定端末向けビット列に含まれる音信号を表す符号列には、モノラル符号ＣＦＭＭ２と拡張符号ＣＦＥＭ２が音信号を表す符号として含まれる。
【００６９】
ビット列生成部１２０が出力する２通り目のビット列は、固定通信端末装置２００−Ｍ１が出力した固定端末送出ビット列に含まれるモノラル符号ＣＦＭＭ１と拡張符号ＣＦＥＭ１を音信号を表す符号として含む固定端末向けビット列である。上述した通り、選択地点情報が“Ｆｉｘ−Ｍ１”と“Ｆｉｘ−Ｍ２”であるということは、各端末装置で必要な音は固定通信端末装置２００−Ｍ１が収音した音と固定通信端末装置２００−Ｍ２が収音した音である。しかし、固定通信端末装置２００−Ｍ２には固定通信端末装置２００−Ｍ２が収音した音は存在しているので、多地点制御装置１００が固定通信端末装置２００−Ｍ２に対して固定通信端末装置２００−Ｍ２が収音した音を伝える必要は無い。従って、固定通信端末装置２００−Ｍ２では固定通信端末装置２００−Ｍ１が収音した音を可能な限り高品質に出力するのが好ましい。そこで、ビット列生成部１２０は、固定通信端末装置２００−Ｍ１が出力した固定端末送出ビット列に含まれるモノラル符号ＣＦＭＭ１と拡張符号ＣＦＥＭ１を音信号を表す符号として含む固定端末向けビット列を生成して、固定通信端末装置２００−Ｍ２に対して出力する。具体的には、ビット列生成部１２０は、固定通信端末装置２００−Ｍ１が出力した固定端末送出ビット列に含まれるモノラル符号ＣＦＭＭ１と拡張符号ＣＦＥＭ１を音信号を表す符号として含み、符号情報が“音信号を表す符号列が含む符号が１組のモノラル符号と拡張符号であることを表す情報”であることを表す制御符号を含む、固定端末向けビット列を生成して、固定通信端末装置２００−Ｍ２が接続された固定伝送路４００−Ｍ２に出力する。すなわち、固定通信端末装置２００−Ｍ２向けの固定端末向けビット列に含まれる音信号を表す符号列には、モノラル符号ＣＦＭＭ１と拡張符号ＣＦＥＭ１が音信号を表す符号として含まれる。
【００７０】
ビット列生成部１２０が出力する３通り目のビット列は、固定通信端末装置２００−Ｍ１が出力した固定端末送出ビット列に含まれるモノラル符号ＣＦＭＭ１と固定通信端末装置２００−Ｍ２が出力した固定端末送出ビット列に含まれるモノラル符号ＣＦＭＭ２とを音信号を表す符号として含む固定端末向けビット列である。上述した通り、選択地点情報が“Ｆｉｘ−Ｍ１”と“Ｆｉｘ−Ｍ２”であるということは、各端末装置で必要な音は固定通信端末装置２００−Ｍ１が収音した音と固定通信端末装置２００−Ｍ２が収音した音である。従って、固定通信端末装置２００−Ｍ１でも固定通信端末装置２００−Ｍ２でもない各固定通信端末装置２００−ｍｅｌｓｅ（ｍｅｌｓｅは、１以上Ｍ以下でありＭ１ともＭ２とも異なる各整数）では固定通信端末装置２００−Ｍ１が収音した音と固定通信端末装置２００−Ｍ２が収音した音とを可能な限り高品質に出力するのが好ましい。しかし、多地点制御装置１００と各固定通信端末装置２００−ｍｅｌｓｅを介する固定伝送路４００−ｍｅｌｓｅの通信容量は、２個のモノラル符号に加えて拡張符号も送れるほど大きくない。また、固定通信端末装置２００−Ｍ１が出力した固定端末送出ビット列に含まれるモノラル符号ＣＦＭＭ１と拡張符号ＣＦＥＭ１を復号して２チャンネルの復号ディジタル音信号を得て、固定通信端末装置２００−Ｍ２が出力した固定端末送出ビット列に含まれるモノラル符号ＣＦＭＭ２と拡張符号ＣＦＥＭ２を復号して２チャンネルの復号ディジタル音信号を得て、２チャンネルそれぞれについて２個の復号ディジタル音信号を混合してから符号化してモノラル符号と拡張符号を得れば、多地点制御装置１００と各固定通信端末装置２００−ｍｅｌｓｅを介する固定伝送路４００−ｍｅｌｓｅの通信容量に収まる１組のモノラル符号と拡張符号とすることができるが、符号化と復号の組がタンデム接続になってしまうため、音質が劣化してしまう。そこで、ビット列生成部１２０は、固定通信端末装置２００−Ｍ１が出力した固定端末送出ビット列に含まれるモノラル符号ＣＦＭＭ１と固定通信端末装置２００−Ｍ２が出力した固定端末送出ビット列に含まれるモノラル符号ＣＦＭＭ２とを音信号を表す符号として含む固定端末向けビット列を生成して、固定通信端末装置２００−ｍｅｌｓｅに対して出力する。具体的には、ビット列生成部１２０は、固定通信端末装置２００−Ｍ１が出力した固定端末送出ビット列に含まれるモノラル符号ＣＦＭＭ１と固定通信端末装置２００−Ｍ２が出力した固定端末送出ビット列に含まれるモノラル符号ＣＦＭＭ２とを音信号を表す符号として含み、符号情報が“音信号を表す符号列が含む符号が２個のモノラル符号であることを表す情報”であることを表す制御符号を含む、固定端末向けビット列を生成して、各固定通信端末装置２００−ｍｅｌｓｅが接続された各固定伝送路４００−ｍｅｌｓｅに出力する。すなわち、固定通信端末装置２００−ｍｅｌｓｅ向けの固定端末向けビット列に含まれる音信号を表す符号列には、モノラル符号ＣＦＭＭ１とモノラル符号ＣＦＭＭ２が音信号を表す符号として含まれる。
【００７１】
ビット列生成部１２０が出力する４通り目のビット列は、固定通信端末装置２００−Ｍ１が出力した固定端末送出ビット列に含まれるモノラル符号ＣＦＭＭ１と固定通信端末装置２００−Ｍ２が出力した固定端末送出ビット列に含まれるモノラル符号ＣＦＭＭ２のそれぞれを復号して得た復号ディジタル音信号を混合してから符号化して得たモノラル符号ＣＴＭＭ１Ｍ２を音信号を表す符号として含む移動端末向けビット列である。上述した通り、選択地点情報が“Ｆｉｘ−Ｍ１”と“Ｆｉｘ−Ｍ２”であるということは、各端末装置で必要な音は固定通信端末装置２００−Ｍ１が収音した音と固定通信端末装置２００−Ｍ２が収音した音である。従って、各移動通信端末装置３００−ｎ（ｎは、１以上Ｎ以下の各整数）では固定通信端末装置２００−Ｍ１が収音した音と固定通信端末装置２００−Ｍ２が収音した音とを可能な限り高品質に出力するのが好ましい。しかし、多地点制御装置１００と各移動通信端末装置３００−ｎを介する移動伝送路５００−ｎの通信容量は、２個のモノラル符号を送れるほど大きくない。そうすると、各移動通信端末装置３００−ｎでは、固定通信端末装置２００−Ｍ１が収音した音と固定通信端末装置２００−Ｍ２が収音した音とを、音質が劣化してしまったとしても最低限出力できるようにするのが望ましい。そこで、ビット列生成部１２０は、固定通信端末装置２００−Ｍ１が出力した固定端末送出ビット列に含まれるモノラル符号ＣＦＭＭ１を復号して第１の復号ディジタル音信号を得て、固定通信端末装置２００−Ｍ２が出力した固定端末送出ビット列に含まれるモノラル符号ＣＦＭＭ２を復号して第２の復号ディジタル音信号を得て、第１の復号ディジタル音信号と第２の復号ディジタル音信号の対応するサンプル同士の平均値による系列を得るなどによって第１の復号ディジタル音信号と第２の復号ディジタル音信号を混合して混合ディジタル音信号を得て、混合ディジタル音信号を上述した第１の符号化方式で符号化してモノラル符号ＣＴＭＭ１Ｍ２を得て、混合ディジタル音信号から得たモノラル符号ＣＴＭＭ１Ｍ２を音信号を表す符号として含む移動端末向けビット列を生成して、各移動通信端末装置３００−ｎに対して出力する、すなわち、各移動通信端末装置３００−ｎが接続された各移動伝送路５００−ｎに出力する。すなわち、移動通信端末装置３００−ｎ向けの移動端末向けビット列に含まれる音信号を表す符号列には、モノラル符号ＣＴＭＭ１Ｍ２が音信号を表す符号として含まれる。
【００７２】
なお、地点選択部１１０がＭ＋Ｎ個の復号ディジタル音信号を得た場合には、第１の復号ディジタル音信号と第２の復号ディジタル信号は、地点選択部１１０が得たＭ＋Ｎ個の復号ディジタル音信号のうちの２個と同じであるので、ビット列生成部１２０がモノラル符号を復号して復号ディジタル音信号を得ることに代えて、地点選択部１１０が得た復号ディジタル音信号を地点選択部１１０がビット列生成部１２０に出力して、ビット列生成部１２０では地点選択部１１０から入力された復号ディジタル音信号を用いるようにしてもよい。
【００７３】
［選択地点情報がケース４の情報である場合］
ビット列生成部１２０は、選択地点情報が“Ｆｉｘ−Ｍ１”と“Ｍｏｂｉｌｅ−Ｎ１”という情報である場合には、下記の４通りのビット列を生成して出力する。図８は、この場合の音信号を表す符号列を模式的に示した図である。
【００７４】
ビット列生成部１２０が出力する１通り目のビット列は、移動通信端末装置３００−Ｎ１が出力した移動端末送出ビット列に含まれるモノラル符号ＣＭＭＮ１を音信号を表す符号として含む固定端末ビット列である。選択地点情報が“Ｆｉｘ−Ｍ１”と“Ｍｏｂｉｌｅ−Ｎ１”であるということは、各端末装置で必要な音は固定通信端末装置２００−Ｍ１が収音した音と移動通信端末装置３００−Ｎ１が収音した音である。しかし、固定通信端末装置２００−Ｍ１には固定通信端末装置２００−Ｍ１が収音した音は存在しているので、多地点制御装置１００が固定通信端末装置２００−Ｍ１に対して固定通信端末装置２００−Ｍ１が収音した音を伝える必要は無い。従って、固定通信端末装置２００−Ｍ１では移動通信端末装置３００−Ｎ１が収音した音を可能な限り高品質に出力するのが好ましい。ただし、移動通信端末装置３００−Ｎ１が出力した移動端末送出ビット列に含まれる音信号を表す符号はモノラル符号ＣＭＭＮ１のみであり、移動通信端末装置３００−Ｎ１が出力した移動端末送出ビット列には拡張符号は含まれない。そこで、ビット列生成部１２０は、移動通信端末装置３００−Ｎ１が出力した移動端末送出ビット列に含まれるモノラル符号ＣＭＭＮ１を音信号を表す符号として含む固定端末向けビット列を生成して、固定通信端末装置２００−Ｍ１に対して出力する。具体的には、ビット列生成部１２０は、移動通信端末装置３００−Ｎ１が出力した移動端末送出ビット列に含まれるモノラル符号ＣＭＭＮ１を音信号を表す符号として含み、符号情報が“音信号を表す符号列が含む符号が１個のモノラル符号であることを表す情報”であることを表す制御符号を含む、固定端末向けビット列を生成して、固定通信端末装置２００−Ｍ１が接続された固定伝送路４００−Ｍ１に出力する。すなわち、固定通信端末装置２００−Ｍ１向けの固定端末向けビット列に含まれる音信号を表す符号列には、モノラル符号ＣＭＭＮ１が音信号を表す符号として含まれる。
【００７５】
ビット列生成部１２０が出力する２通り目のビット列は、固定通信端末装置２００−Ｍ１が出力した固定端末送出ビット列に含まれるモノラル符号ＣＦＭＭ１を音信号を表す符号として含む移動端末向けビット列である。上述した通り、選択地点情報が“Ｆｉｘ−Ｍ１”と“Ｍｏｂｉｌｅ−Ｎ１”であるということは、各端末装置で必要な音は固定通信端末装置２００−Ｍ１が収音した音と移動通信端末装置３００−Ｎ１が収音した音である。しかし、移動通信端末装置３００−Ｎ１には移動通信端末装置３００−Ｎ１が収音した音は存在しているので、多地点制御装置１００が移動通信端末装置３００−Ｎ１に対して移動通信端末装置３００−Ｎ１が収音した音を伝える必要は無い。従って、移動通信端末装置３００−Ｎ１では固定通信端末装置２００−Ｍ１が収音した音を可能な限り高品質に出力するのが好ましい。しかし、多地点制御装置１００と移動通信端末装置３００−Ｎ１を介する移動伝送路５００−Ｎ１の通信容量は、１個のモノラル符号に加えて拡張符号も送れるほど大きくない。そこで、ビット列生成部１２０は、固定通信端末装置２００−Ｍ１が出力した固定端末送出ビット列に含まれるモノラル符号ＣＦＭＭ１を音信号を表す符号として含む移動端末向けビット列を生成して、移動通信端末装置３００−Ｎ１に対して出力する、すなわち、移動通信端末装置３００−Ｎ１が接続された移動伝送路５００−Ｎ１に出力する。すなわち、移動通信端末装置３００−Ｎ１向けの移動端末向けビット列に含まれる音信号を表す符号列には、モノラル符号ＣＦＭＭ１が音信号を表す符号として含まれる。
【００７６】
ビット列生成部１２０が出力する３通り目のビット列は、固定通信端末装置２００−Ｍ１が出力した固定端末送出ビット列に含まれるモノラル符号ＣＦＭＭ１と移動通信端末装置３００−Ｎ１が出力した移動端末送出ビット列に含まれるモノラル符号ＣＭＭＮ１とを音信号を表す符号として含む固定端末向けビット列である。上述した通り、選択地点情報が“Ｆｉｘ−Ｍ１”と“Ｍｏｂｉｌｅ−Ｎ１”であるということは、各端末装置で必要な音は固定通信端末装置２００−Ｍ１が収音した音と移動通信端末装置３００−Ｎ１が収音した音である。従って、固定通信端末装置２００−Ｍ１以外の各固定通信端末装置２００−ｍｅｌｓｅ（ｍｅｌｓｅは、１以上Ｍ以下でありＭ１とは異なる各整数）では固定通信端末装置２００−Ｍ１が収音した音と移動通信端末装置３００−Ｎ１が収音した音とを可能な限り高品質に出力するのが好ましい。ただし、多地点制御装置１００と各固定通信端末装置２００−ｍｅｌｓｅを介する固定伝送路４００−ｍｅｌｓｅの通信容量は、２個のモノラル符号に加えて拡張符号も送れるほど大きくない。また、固定通信端末装置２００−Ｍ１が出力した固定端末送出ビット列に含まれるモノラル符号ＣＦＭＭ１と拡張符号ＣＦＥＭ１を復号して２チャンネルの復号ディジタル音信号を得て、移動通信端末装置３００−Ｎ１が出力した移動端末送出ビット列に含まれるモノラル符号ＣＭＭＮ１を復号してモノラルの復号ディジタル音信号を得て、２チャンネルのうちの一方のチャンネルの復号ディジタル音信号とモノラルの復号音ディジタル音信号を混合し、２チャンネルのうちのもう一方のチャンネルの復号ディジタル音信号とモノラルの復号音ディジタル音信号を混合してから符号化してモノラル符号と拡張符号を得れば、多地点制御装置１００と各固定通信端末装置２００−ｍｅｌｓｅを介する固定伝送路４００−ｍｅｌｓｅの通信容量に収まる１組のモノラル符号と拡張符号とすることができるが、符号化と復号の組がタンデム接続になってしまうため、音質が劣化してしまう。そこで、ビット列生成部１２０は、固定通信端末装置２００−Ｍ１が出力した固定端末送出ビット列に含まれるモノラル符号ＣＦＭＭ１と移動通信端末装置３００−Ｎ１が出力した移動端末送出ビット列に含まれるモノラル符号ＣＭＭＮ１とを音信号を表す符号として含む固定端末向けビット列を生成して、固定通信端末装置２００−ｍｅｌｓｅに対して出力する。具体的には、ビット列生成部１２０は、固定通信端末装置２００−Ｍ１が出力した固定端末送出ビット列に含まれるモノラル符号ＣＦＭＭ１と移動通信端末装置３００−Ｎ１が出力した移動端末送出ビット列に含まれるモノラル符号ＣＭＭＮ１とを音信号を表す符号として含み、符号情報が“音信号を表す符号列が含む符号が２個のモノラル符号であることを表す情報”であること表す制御符号を含む、固定端末向けビット列を生成して、各固定通信端末装置２００−ｍｅｌｓｅが接続された各固定伝送路４００−ｍｅｌｓｅに出力する。すなわち、固定通信端末装置２００−ｍｅｌｓｅ向けの固定端末向けビット列に含まれる音信号を表す符号列には、モノラル符号ＣＦＭＭ１とモノラル符号ＣＭＭＮ１が音信号を表す符号として含まれる。
【００７７】
ビット列生成部１２０が出力する４通り目のビット列は、固定通信端末装置２００−Ｍ１が出力した固定端末送出ビット列に含まれるモノラル符号ＣＦＭＭ１と移動通信端末装置３００−Ｎ１が出力した移動端末送出ビット列に含まれるモノラル符号ＣＭＭＮ１のそれぞれを復号して得た復号ディジタル音信号を混合してから符号化して得たモノラル符号ＣＴＭＭ１Ｎ１を音信号を表す符号として含む移動端末向けビット列である。上述した通り、選択地点情報が“Ｆｉｘ−Ｍ１”と“Ｍｏｂｉｌｅ−Ｎ１”であるということは、各端末装置で必要な音は固定通信端末装置２００−Ｍ１が収音した音と移動通信端末装置３００−Ｎ１が収音した音である。従って、移動通信端末装置３００−Ｎ１以外の各移動通信端末装置３００−ｎｅｌｓｅ（ｎｅｌｓｅは、１以上Ｎ以下でありＮ１とは異なる各整数）では固定通信端末装置２００−Ｍ１が収音した音と移動通信端末装置３００−Ｎ１が収音した音とを可能な限り高品質に出力するのが好ましい。しかし、多地点制御装置１００と各移動通信端末装置３００−ｎｅｌｓｅを介する移動伝送路５００−ｎｅｌｓｅの通信容量は、２個のモノラル符号を送れるほど大きくはない。そうすると、各移動通信端末装置３００−ｎｅｌｓｅでは、固定通信端末装置２００−Ｍ１が収音した音と移動通信端末装置３００−Ｎ１が収音した音とを、音質が劣化してしまったとしても最低限出力できるようにするのが望ましい。そこで、ビット列生成部１２０は、固定通信端末装置２００−Ｍ１が出力した固定端末送出ビット列に含まれるモノラル符号ＣＦＭＭ１を復号して第１の復号ディジタル音信号を得て、移動通信端末装置３００−Ｎ１が出力した移動端末送出ビット列に含まれるモノラル符号ＣＭＭＮ１を復号して第２の復号ディジタル音信号を得て、第１の復号ディジタル音信号と第２の復号ディジタル音信号の対応するサンプル同士の平均値による系列を得るなどによって第１の復号ディジタル音信号と第２の復号ディジタル音信号を混合して混合ディジタル音信号を得て、混合ディジタル音信号を上述した第１の符号化方式で符号化してモノラル符号ＣＴＭＭ１Ｎ１を得て、混合ディジタル音信号から得たモノラル符号ＣＴＭＭ１Ｎ１を音信号を表す符号として含む移動端末向けビット列を生成して、移動通信端末装置３００−ｎｅｌｓｅに対して出力する、すなわち、各移動通信端末装置３００−ｎｅｌｓｅが接続された各移動伝送路５００−ｎｅｌｓｅに出力する。すなわち、移動通信端末装置３００−ｎｅｌｓｅ向けの移動端末向けビット列に含まれる音信号を表す符号列には、モノラル符号ＣＴＭＭ１Ｎ１が音信号を表す符号として含まれる。
【００７８】
なお、地点選択部１１０がＭ＋Ｎ個の復号ディジタル音信号を得た場合には、第１の復号ディジタル音信号と第２の復号ディジタル信号は、地点選択部１１０が得たＭ＋Ｎ個の復号ディジタル音信号のうちの２個と同じであるので、ビット列生成部１２０がモノラル符号を復号して復号ディジタル音信号を得ることに代えて、地点選択部１１０が得た復号ディジタル音信号を地点選択部１１０がビット列生成部１２０に出力して、ビット列生成部１２０では地点選択部１１０から入力された復号ディジタル音信号を用いるようにしてもよい。
【００７９】
［選択地点情報がケース５の情報である場合］
ビット列生成部１２０は、選択地点情報が“Ｍｏｂｉｌｅ−Ｎ１”と“Ｍｏｂｉｌｅ−Ｎ２”という情報である場合には、下記の４通りの何れかであるビット列を生成して出力する。ただし、Ｎ＝２の場合には、下記の３通り目のビット列を生成して出力する必要は無いため、下記の１通り目と２通り目と４通り目の３通りのビット列を生成して出力する。図９は、この場合の音信号を表す符号列を模式的に示した図である。
【００８０】
ビット列生成部１２０が出力する１通り目のビット列は、移動通信端末装置３００−Ｎ２が出力した移動端末送出ビット列に含まれるモノラル符号ＣＭＭＮ２を音信号を表す符号として含む移動端末向けビット列である。選択地点情報が“Ｍｏｂｉｌｅ−Ｎ１”と“Ｍｏｂｉｌｅ−Ｎ２”であるということは、各端末装置で必要な音は移動通信端末装置３００−Ｎ１が収音した音と移動通信端末装置３００−Ｎ２が収音した音である。しかし、移動通信端末装置３００−Ｎ１には移動通信端末装置３００−Ｎ１が収音した音は存在しているので、多地点制御装置１００が移動通信端末装置３００−Ｎ１に対して移動通信端末装置３００−Ｎ１が収音した音を伝える必要は無い。従って、移動通信端末装置３００−Ｎ１では移動通信端末装置３００−Ｎ２が収音した音を可能な限り高品質に出力するのが好ましい。そこで、ビット列生成部１２０は、移動通信端末装置３００−Ｎ２が出力した移動端末送出ビット列に含まれるモノラル符号ＣＭＭＮ２を音信号を表す符号として含む移動端末向けビット列を生成して、移動通信端末装置３００−Ｎ１に対して出力する、すなわち、移動通信端末装置３００−Ｎ１が接続された移動伝送路５００−Ｎ１に出力する。すなわち、移動通信端末装置３００−Ｎ１向けの移動端末向けビット列に含まれる音信号を表す符号列には、モノラル符号ＣＭＭＮ２が音信号を表す符号として含まれる。
【００８１】
ビット列生成部１２０が出力する２通り目のビット列は、移動通信端末装置３００−Ｎ１が出力した移動端末送出ビット列に含まれるモノラル符号ＣＭＭＮ１を音信号を表す符号として含む移動端末向けビット列である。上述した通り、選択地点情報が“Ｍｏｂｉｌｅ−Ｎ１”と“Ｍｏｂｉｌｅ−Ｎ２”であるということは、各端末装置で必要な音は移動通信端末装置３００−Ｎ１が収音した音と移動通信端末装置３００−Ｎ２が収音した音である。しかし、移動通信端末装置３００−Ｎ２には移動通信端末装置３００−Ｎ２が収音した音は存在しているので、多地点制御装置１００が移動通信端末装置３００−Ｎ２に対して移動通信端末装置３００−Ｎ２が収音した音を伝える必要は無い。従って、移動通信端末装置３００−Ｎ２では移動通信端末装置３００−Ｎ１が収音した音を可能な限り高品質に出力するのが好ましい。そこで、ビット列生成部１２０は、移動通信端末装置３００−Ｎ１が出力した移動端末送出ビット列に含まれるモノラル符号ＣＭＭＮ１を音信号を表す符号として含む移動端末向けビット列を生成して、移動通信端末装置３００−Ｎ２に対して出力する、すなわち、移動通信端末装置３００−Ｎ２が接続された移動伝送路５００−Ｎ２に出力する。すなわち、移動通信端末装置３００−Ｎ２向けの移動端末向けビット列に含まれる音信号を表す符号列には、モノラル符号ＣＭＭＮ１が音信号を表す符号として含まれる。
【００８２】
ビット列生成部１２０が出力する３通り目のビット列は、移動通信端末装置３００−Ｎ１が出力した移動端末送出ビット列に含まれるモノラル符号ＣＭＭＮ１と移動通信端末装置３００−Ｎ２が出力した移動端末送出ビット列に含まれるモノラル符号ＣＭＭＮ２のそれぞれを復号して得た復号ディジタル音信号を混合してから符号化して得たモノラル符号ＣＴＭＮ１Ｎ２を音信号を表す符号として含む移動端末向けビット列である。上述した通り、選択地点情報が“Ｍｏｂｉｌｅ−Ｎ１”と“Ｍｏｂｉｌｅ−Ｎ２”であるということは、各端末装置で必要な音は移動通信端末装置３００−Ｎ１が収音した音と移動通信端末装置３００−Ｎ２が収音した音である。従って、移動通信端末装置３００−Ｎ１でも移動通信端末装置３００−Ｎ２でもない各移動通信端末装置３００−ｎｅｌｓｅ（ｎｅｌｓｅは１以上Ｎ以下でありＮ１ともＮ２とも異なる各整数）では移動通信端末装置３００−Ｎ１が収音した音と移動通信端末装置３００−Ｎ２が収音した音とを可能な限り高品質に出力するのが好ましい。しかし、多地点制御装置１００と各移動通信端末装置３００−ｎｅｌｓｅを介する移動伝送路５００−ｎｅｌｓｅの通信容量は、２個のモノラル符号を送れるほど大きくない。そうすると、各移動通信端末装置３００−ｎｅｌｓｅでは、移動通信端末装置３００−Ｎ１が収音した音と移動通信端末装置３００−Ｎ２が収音した音とを、音質が劣化してしまったとしても最低限出力できるようにするのが望ましい。そこで、ビット列生成部１２０は、移動通信端末装置３００−Ｎ１が出力した移動端末送出ビット列に含まれるモノラル符号ＣＭＭＮ１を復号して第１の復号ディジタル音信号を得て、移動通信端末装置３００−Ｎ２が出力した移動端末送出ビット列に含まれるモノラル符号ＣＭＭＮ２を復号して第２の復号ディジタル音信号を得て、第１の復号ディジタル音信号と第２の復号ディジタル音信号の対応するサンプル同士の平均値による系列を得るなどによって第１の復号ディジタル音信号と第２の復号ディジタル音信号を混合して混合ディジタル音信号を得て、混合ディジタル音信号を上述した第１の符号化方式で符号化してモノラル符号ＣＴＭＮ１Ｎ２を得て、混合ディジタル音信号から得たモノラル符号ＣＴＭＮ１Ｎ２を音信号を表す符号として含む移動端末向けビット列を生成して、各移動通信端末装置３００−ｎｅｌｓｅに対して出力する、すなわち、各移動通信端末装置３００−ｎｅｌｓｅが接続された各移動伝送路５００−ｎｅｌｓｅに出力する。すなわち、移動通信端末装置３００−ｎｅｌｓｅ向けの移動端末向けビット列に含まれる音信号を表す符号列には、モノラル符号ＣＴＭＮ１Ｎ２が音信号を表す符号として含まれる。
【００８３】
なお、地点選択部１１０がＭ＋Ｎ個の復号ディジタル音信号を得た場合には、第１の復号ディジタル音信号と第２の復号ディジタル信号は、地点選択部１１０が得たＭ＋Ｎ個の復号ディジタル音信号のうちの２個と同じであるので、ビット列生成部１２０がモノラル符号を復号して復号ディジタル音信号を得ることに代えて、地点選択部１１０が得た復号ディジタル音信号を地点選択部１１０がビット列生成部１２０に出力して、ビット列生成部１２０では地点選択部１１０から入力された復号ディジタル音信号を用いるようにしてもよい。
【００８４】
ビット列生成部１２０が出力する４通り目のビット列は、移動通信端末装置３００−Ｎ１が出力した移動端末送出ビット列に含まれるモノラル符号ＣＭＭＮ１と移動通信端末装置３００−Ｎ２が出力した移動端末送出ビット列に含まれるモノラル符号ＣＭＭＮ２とを音信号を表す符号として含む固定端末向けビット列である。上述した通り、選択地点情報が“Ｍｏｂｉｌｅ−Ｎ１”と“Ｍｏｂｉｌｅ−Ｎ２”であるということは、各端末装置で必要な音は移動通信端末装置３００−Ｎ１が収音した音と移動通信端末装置３００−Ｎ２が収音した音である。従って、各固定通信端末装置２００−ｍ（ｍは１以上Ｍ以下の各整数）では移動通信端末装置３００−Ｎ１が収音した音と移動通信端末装置３００−Ｎ１が収音した音とを可能な限り高品質に出力するのが好ましい。そこで、ビット列生成部１２０は、移動通信端末装置３００−Ｎ１が出力した移動端末送出ビット列に含まれるモノラル符号ＣＭＭＮ１と移動通信端末装置３００−Ｎ２が出力した移動端末送出ビット列に含まれるモノラル符号ＣＭＭＮ２とを音信号を表す符号として含む固定端末向けビット列を生成して、固定通信端末装置２００−ｍに対して出力する。具体的には、ビット列生成部１２０は、移動通信端末装置３００−Ｎ１が出力した固定端末送出ビット列に含まれるモノラル符号ＣＭＭＮ１と移動通信端末装置３００−Ｎ２が出力した移動端末送出ビット列に含まれるモノラル符号ＣＭＭＮ２とを音信号を表す符号として含み、符号情報が“音信号を表す符号列が含む符号が２個のモノラル符号であることを表す情報”であることを表す制御符号を含む、固定端末向けビット列を生成して、各固定通信端末装置２００−ｍが接続された各固定伝送路４００−ｍに出力する。すなわち、固定通信端末装置２００−ｍ向けの固定端末向けビット列に含まれる音信号を表す符号列には、モノラル符号ＣＭＭＮ１とモノラル符号ＣＭＭＮ２が音信号を表す符号として含まれる。
【００８５】
≪多地点電話接続システム１０の動作≫
次に、第一実施形態の多地点電話接続システム１０のフレームごとの動作、すなわち、第一実施形態の多地点電話接続システム１０がフレームごとに行う多地点電話接続方法を説明する。
【００８６】
多地点電話接続システム１０は、多地点制御装置１００に各端末装置からビット列が伝えられるところまでは、後述する何れのケースの場合でも同じ動作をする。具体的には、後述する何れのケースの場合でも、各固定通信端末装置２００−ｍは、収音した２個のチャンネルのディジタル音信号が混合された信号を第１の符号化方式で符号化してモノラル符号ＣＦＭｍを得て、収音した２個のチャンネルのディジタル音信号の差分に相当する情報を表す符号を拡張符号ＣＦＥｍとして得て、得たモノラル符号ＣＦＭｍと拡張符号ＣＦＥｍとを収音した２個のチャンネルのディジタル音信号を表す符号として多地点制御装置１００に対して出力する。また、後述する何れのケースの場合でも、各移動通信端末装置３００−ｎは、収音した１個のチャンネルのディジタル音信号を第１の符号化方式で符号化してモノラル符号ＣＭＭｎを得て、得たモノラル符号ＣＭＭｎを収音した１個のチャンネルのディジタル音信号を表す符号として多地点制御装置１００に対して出力する。
【００８７】
一方、多地点電話接続システム１０は、多地点制御装置１００に各端末装置からビット列が伝えられた後は、後述するケースごとに下記の動作をする。
【００８８】
［固定通信端末装置２００−Ｍ１（Ｍ１は１以上Ｍ以下の何れか１つの整数）のみが選択されるケース］
選択基準として音信号のパワーを用いる上述した例であれば、Ｍ＋Ｎ個の端末装置のうちの音信号のパワーが最大であるのが固定通信端末装置２００−Ｍ１であり、パワーが２番目に大きい音信号はパワーが閾値より小さい場合がこのケースに該当する。
【００８９】
このケースの場合には、多地点制御装置１００の地点選択部１１０が上述したケース１の選択地点情報を出力し、多地点制御装置１００のビット列生成部１２０が上述した［選択地点情報がケース１の情報である場合］の動作を行うことから、以降の各端末装置の動作も含めると、多地点電話接続システム１０としては下記のように動作することになる。
・多地点制御装置１００は、固定通信端末装置２００−Ｍ１に対しては、音信号を表す符号を出力しない。固定通信端末装置２００−Ｍ１は、音信号を表す符号を復号せずに、復号音信号を得ない。
・多地点制御装置１００は、固定通信端末装置２００−Ｍ１以外の各固定通信端末装置２００−ｍｅｌｓｅ（ｍｅｌｓｅは１以上Ｍ以下でありＭ１とは異なる各整数）に対しては、固定通信端末装置２００−Ｍ１が収音した２チャンネルステレオの音信号を表すモノラル符号ＣＦＭＭ１と拡張符号ＣＦＥＭ１を出力する。各固定通信端末装置２００−ｍｅｌｓｅは、多地点制御装置１００が出力したモノラル符号ＣＦＭＭ１と拡張符号ＣＦＥＭ１から、上述したケースＡの処理を行って、固定通信端末装置２００−Ｍ１が収音した２チャンネルステレオの音信号に対応する２チャンネルステレオの復号音信号を得る。
・多地点制御装置１００は、各移動通信端末装置３００−ｎ（ｎは１以上Ｎ以下の各整数）に対しては、固定通信端末装置２００−Ｍ１が収音した２チャンネルステレオの音信号を表す符号のうちのモノラル符号ＣＦＭＭ１のみを出力する。各移動通信端末装置３００−ｎは、多地点制御装置１００が出力したモノラル符号ＣＦＭＭ１から、固定通信端末装置２００−Ｍ１が収音した２チャンネルステレオの音信号が混合されたモノラルの復号音信号を得る。
【００９０】
なお、音声会議の例であれば、固定通信端末装置２００−Ｍ１のみが発声地点であるフレームがこのケースに相当し、多地点電話接続システム１０としては下記のように動作することになる。
・多地点制御装置１００は、発声地点の固定通信端末装置２００−Ｍ１に対しては、音信号を表す符号を出力しない。固定通信端末装置２００−Ｍ１は、音信号を表す符号を復号せずに、復号音信号を得ない。
・多地点制御装置１００は、発声地点以外の各固定通信端末装置２００−Ｍｅｌｓｅに対しては、発声地点の２チャンネルステレオの音信号を表すモノラル符号ＣＦＭＭ１と拡張符号ＣＦＥＭ１を出力する。発声地点以外の各固定通信端末装置２００−Ｍｅｌｓｅは、多地点制御装置１００が出力したモノラル符号ＣＦＭＭ１と拡張符号ＣＦＥＭ１から、上述したケースＡの処理を行って、発声地点の２チャンネルステレオの音信号に対応する音信号であり、符号化と復号の組がタンデム接続ではない音信号である、２チャンネルステレオの復号音信号を得る。
・多地点制御装置１００は、各移動通信端末装置３００−ｎに対しては、発声地点の２チャンネルステレオの音信号を表す符号のうちのモノラル符号ＣＦＭＭ１のみを出力する。各移動通信端末装置３００−ｎは、多地点制御装置１００が出力したモノラル符号ＣＦＭＭ１から、発声地点の２チャンネルステレオの音信号が混合された音信号であり、符号化と復号の組がタンデム接続ではない音信号である、モノラルの復号音信号を得る。
【００９１】
［移動通信端末装置３００−Ｎ１（Ｎ１は１以上Ｎ以下の何れか１つの整数）のみが選択されるケース］
選択基準として音信号のパワーを用いる上述した例であれば、Ｍ＋Ｎ個の端末装置のうちの音信号のパワーが最大であるのが移動通信端末装置３００−Ｎ１であり、パワーが２番目に大きい音信号はパワーが閾値より小さい場合がこのケースに該当する。
【００９２】
このケースの場合には、多地点制御装置１００の地点選択部１１０が上述したケース２の選択地点情報を出力し、多地点制御装置１００のビット列生成部１２０が上述した［選択地点情報がケース２の情報である場合］の動作を行うことから、以降の各端末装置の動作も含めると、多地点電話接続システム１０としては下記のように動作することになる。
・多地点制御装置１００は、移動通信端末装置３００−Ｎ１に対しては、音信号を表す符号を出力しない。移動通信端末装置３００−Ｎ１は、音信号を表す符号を復号せずに、復号音信号を得ない。
・多地点制御装置１００は、移動通信端末装置３００−Ｎ１以外の各移動通信端末装置３００−ｎｅｌｓｅ（ｎｅｌｓｅは１以上Ｎ以下でありＮ１とは異なる各整数）に対しては、移動通信端末装置３００−Ｎ１が収音したモノラルの音信号を表すモノラル符号ＣＭＭＮ１を出力する。各移動通信端末装置３００−ｎｅｌｓｅは、多地点制御装置１００が出力したモノラル符号ＣＭＭＮ１から、移動通信端末装置３００−Ｎ１が収音したモノラルの音信号に対応するモノラルの復号音信号を得る。
・多地点制御装置１００は、各固定通信端末装置２００−ｍ（ｍは１以上Ｍ以下の各整数）に対しては、移動通信端末装置３００−Ｎ１が収音したモノラルの音信号を表すモノラル符号ＣＭＭＮ１を出力する。各固定通信端末装置２００−ｍは、多地点制御装置１００が出力したモノラル符号ＣＭＭＮ１から、上述したケースＣの処理を行って、移動通信端末装置３００−Ｎ１が収音したモノラルの音信号に対応するモノラルの復号音信号を得る。
【００９３】
なお、音声会議の例であれば、移動通信端末装置３００−Ｎ１のみが発声地点であるフレームがこのケースに相当し、多地点電話接続システム１０としては下記のように動作することになる。
・多地点制御装置１００は、発声地点の移動通信端末装置３００−Ｎ１に対しては、音信号を表す符号を出力しない。移動通信端末装置３００−Ｎ１は、音信号を表す符号を復号せずに、復号音信号を得ない。
・多地点制御装置１００は、発声地点以外の各移動通信端末装置３００−ｎｅｌｓｅに対しては、発声地点のモノラルの音信号を表すモノラル符号ＣＭＭＮ１を出力する。発声地点以外の発声地点以外の各移動通信端末装置３００−ｎｅｌｓｅは、多地点制御装置１００が出力したモノラル符号ＣＭＭＮ１から、発声地点のモノラルの音信号に対応する音信号であり、符号化と復号の組がタンデム接続ではない音信号である、モノラルの復号音信号を得る。
・多地点制御装置１００は、各固定通信端末装置２００−ｍに対しては、発声地点のモノラルの音信号を表すモノラル符号ＣＭＭＮ１を出力する。各固定通信端末装置２００−ｍは、多地点制御装置１００が出力したモノラル符号ＣＭＭＮ１から、上述したケースＣの処理を行って、発声地点のモノラルの音信号に対応する音信号であり、符号化と復号の組がタンデム接続ではない音信号である、モノラルの復号音信号を得る。
【００９４】
［固定通信端末装置２００−Ｍ１（Ｍ１は１以上Ｍ以下の何れか１つの整数）と固定通信端末装置２００−Ｍ２（Ｍ２は１以上Ｍ以下でありＭ１とは異なる何れか１つの整数）が選択されるケース］
選択基準として音信号のパワーを用いる上述した例であれば、Ｍ＋Ｎ個の端末装置のうちの音信号のパワーが最大のものとパワーが２番目に大きく閾値以上であるものが、固定通信端末装置２００−Ｍ１と固定通信端末装置２００−Ｍ２である場合がこのケースに該当する。
【００９５】
このケースの場合には、多地点制御装置１００の地点選択部１１０が上述したケース３の選択地点情報を出力し、多地点制御装置１００のビット列生成部１２０が上述した［選択地点情報がケース３の情報である場合］の動作を行うことから、以降の各端末装置の動作も含めると、多地点電話接続システム１０としては下記のように動作することになる。
・多地点制御装置１００は、固定通信端末装置２００−Ｍ１に対しては、固定通信端末装置２００−Ｍ２が収音した２チャンネルステレオの音信号を表すモノラル符号ＣＦＭＭ２と拡張符号ＣＦＥＭ２を出力する。固定通信端末装置２００−Ｍ１は、多地点制御装置１００が出力したモノラル符号ＣＦＭＭ２と拡張符号ＣＦＥＭ２から、上述したケースＡの処理を行って、固定通信端末装置２００−Ｍ２が収音した２チャンネルステレオの音信号に対応する２チャンネルステレオの復号音信号を得る。
・多地点制御装置１００は、固定通信端末装置２００−Ｍ２に対しては、固定通信端末装置２００−Ｍ１が収音した２チャンネルステレオの音信号を表すモノラル符号ＣＦＭＭ１と拡張符号ＣＦＥＭ１を出力する。固定通信端末装置２００−Ｍ２は、多地点制御装置１００が出力したモノラル符号ＣＦＭＭ１と拡張符号ＣＦＥＭ１から、上述したケースＡの処理を行って、固定通信端末装置２００−Ｍ１が収音した２チャンネルステレオの音信号に対応する２チャンネルステレオの復号音信号を得る。
・多地点制御装置１００は、固定通信端末装置２００−Ｍ１でも固定通信端末装置２００−Ｍ２でもない各固定通信端末装置２００−ｍｅｌｓｅ（ｍｅｌｓｅは１以上Ｍ以下でありＭ１ともＭ２とも異なる各整数）に対しては、固定通信端末装置２００−Ｍ１が収音した２チャンネルステレオの音信号を表す符号のうちのモノラル符号ＣＦＭＭ１と固定通信端末装置２００−Ｍ２が収音した２チャンネルステレオの音信号を表す符号のうちのモノラル符号ＣＦＭＭ２とを出力する。各固定通信端末装置２００−ｍｅｌｓｅは、多地点制御装置１００が出力した２個のモノラル符号ＣＦＭＭ１とＣＦＭＭ２から、上述したケースＢの処理を行って、固定通信端末装置２００−Ｍ１が収音した２チャンネルステレオの音信号が混合されたモノラルの復号音信号と、固定通信端末装置２００−Ｍ２が収音した２チャンネルステレオの音信号が混合されたモノラルの復号音信号と、の計２個のチャンネルの復号音信号を得る。
・多地点制御装置１００は、各移動通信端末装置３００−ｎ（ｎは１以上Ｎ以下の各整数）に対しては、固定通信端末装置２００−Ｍ１が収音した２チャンネルステレオの音信号を表す符号のうちのモノラル符号ＣＦＭＭ１を復号して得た音信号と固定通信端末装置２００−Ｍ２が収音した２チャンネルステレオの音信号を表す符号のうちのモノラル符号ＣＦＭＭ１を復号して得た音信号とを混合してから符号化して得たモノラル符号ＣＴＭＭ１Ｍ２を出力する。各移動通信端末装置３００−ｎは、多地点制御装置１００が出力した１個のモノラル符号ＣＴＭＭ１Ｍ２から、固定通信端末装置２００−Ｍ１が収音した２チャンネルステレオの音信号と固定通信端末装置２００−Ｍ２が収音した２チャンネルステレオの音信号が混合された音信号に対応する１個のモノラルの復号音信号を得る。
【００９６】
なお、音声会議の例であれば、固定通信端末装置２００−Ｍ１と固定通信端末装置２００−Ｍ２の２地点が発声地点であるフレームがこのケースに相当し、多地点電話接続システム１０としては下記のように動作することになる。
・多地点制御装置１００は、発声地点の固定通信端末装置２００−Ｍ１と固定通信端末装置２００−Ｍ２のそれぞれに対しては、他方の発声地点の２チャンネルステレオの音信号を表すモノラル符号ＣＦＭＭｘ（ｘは１または２）と拡張符号ＣＦＥＭｘを出力する。発声地点の固定通信端末装置２００−Ｍ１と固定通信端末装置２００−Ｍ２のそれぞれは、多地点制御装置１００が出力したモノラル符号ＣＦＭＭｘと拡張符号ＣＦＥＭｘから、上述したケースＡの処理を行って、他方の発声地点の２チャンネルステレオの音信号に対応する音信号であり、符号化と復号の組がタンデム接続ではない音信号である、２チャンネルステレオの復号音信号を得る。
・多地点制御装置１００は、発声地点以外の各固定通信端末装置２００−ｍｅｌｓｅに対しては、２個の発声地点それぞれの２チャンネルステレオの音信号を表す符号のうちののモノラル符号ＣＦＭＭ１とＣＦＭＭ２を出力する。発声地点以外の各固定通信端末装置２００−ｍｅｌｓｅは、多地点制御装置１００が出力した２個のモノラル符号ＣＦＭＭ１とＣＦＭＭ２から、上述したケースＢの処理を行って、各発声地点の２チャンネルステレオの音信号が発声地点ごとに混合された音信号に対応する２個のモノラルの音信号であり、符号化と復号の組がタンデム接続ではない音信号である、計２個のチャンネルの復号音信号を得る。
・多地点制御装置１００は、各移動通信端末装置３００−ｎに対しては、２個の発声地点それぞれの２チャンネルステレオの音信号を表す符号のうちのモノラル符号ＣＦＭＭ１とＣＦＭＭ２を復号して得た２個の音信号を混合して符号化して得た１個の音信号を表すモノラル符号ＣＴＭＭ１Ｍ２を出力する。各移動通信端末装置３００−ｎは、多地点制御装置１００が出力した１個のモノラル符号ＣＴＭＭ１Ｍ２から、２個の発声地点の全ての音信号が混合されたモノラルの音信号であり、符号化と復号の組がタンデム接続された音信号である、１個の復号音信号を得る。
【００９７】
［固定通信端末装置２００−Ｍ１（Ｍ１は１以上Ｍ以下の何れか１つの整数）と移動通信端末装置３００−Ｎ１（Ｎ１は１以上Ｎ以下の何れか１つの整数）が選択されるケース］
選択基準として音信号のパワーを用いる上述した例であれば、Ｍ＋Ｎ個の端末装置のうちの音信号のパワーが最大のものとパワーが２番目に大きく閾値以上であるものが、固定通信端末装置２００−Ｍ１と移動通信端末装置３００−Ｎ１である場合がこのケースに該当する。
【００９８】
このケースの場合には、多地点制御装置１００の地点選択部１１０が上述したケース４の選択地点情報を出力し、多地点制御装置１００のビット列生成部１２０が上述した［選択地点情報がケース４の情報である場合］の動作を行うことから、以降の各端末装置の動作も含めると、多地点電話接続システム１０としては下記のように動作することになる。
・多地点制御装置１００は、固定通信端末装置２００−Ｍ１に対しては、移動通信端末装置３００−Ｎ１が収音したモノラルの音信号を表すモノラル符号ＣＭＭＮ１を出力する。固定通信端末装置２００−Ｍ１は、多地点制御装置１００が出力した１個のモノラル符号ＣＭＭＮ１から、上述したケースＣの処理を行って、移動通信端末装置３００−Ｎ１が収音したモノラルの音信号に対応するモノラルの復号音信号を得る。
・多地点制御装置１００は、移動通信端末装置３００−Ｎ１に対しては、固定通信端末装置２００−Ｍ１が収音した２チャンネルステレオの音信号を表す符号のうちのモノラル符号ＣＦＭＭ１を出力する。移動通信端末装置３００−Ｎ１は、多地点制御装置１００が出力した１個のモノラル符号ＣＦＭＭ１から、固定通信端末装置２００−Ｍ１が収音した２チャンネルステレオの音信号が混合されたモノラルの復号音信号を得る。
・多地点制御装置１００は、固定通信端末装置２００−Ｍ１ではない各固定通信端末装置２００−ｍｅｌｓｅ（ｍｅｌｓｅは１以上Ｍ以下でありＭ１とは異なる各整数）に対しては、固定通信端末装置２００−Ｍ１が収音した２チャンネルステレオの音信号を表す符号のうちのモノラル符号ＣＦＭＭ１と移動通信端末装置３００−Ｎ１が収音したモノラルの音信号を表すモノラル符号ＣＭＭＮ１とを出力する。各固定通信端末装置２００−ｍｅｌｓｅは、多地点制御装置１００が出力した２個のモノラル符号ＣＦＭＭ１とＣＭＭＮ１から、上述したケースＢの処理を行って、固定通信端末装置２００−Ｍ１が収音した２チャンネルステレオの音信号が混合されたモノラルの音信号と、移動通信端末装置３００−Ｎ１が収音したモノラルの音信号に対応するモノラルの音信号と、の計２個のチャンネルの復号音信号を得る。
・多地点制御装置１００は、移動通信端末装置３００−Ｎ１ではない各移動通信端末装置３００−ｎｅｌｓｅ（ｎｅｌｓｅは１以上Ｎ以下でありＮ１とは異なる各整数）に対しては、固定通信端末装置２００−Ｍ１が収音した２チャンネルステレオ音信号を表す符号のうちのモノラル符号ＣＦＭＭ１を復号して得た音信号と移動通信端末装置３００−Ｎ１が収音したモノラルの音信号を表すモノラル符号ＣＭＭＮ１を復号して得た音信号とを混合してから符号化して得たモノラル符号ＣＴＭＭ１Ｎ１を出力する。各移動通信端末装置３００−ｎｅｌｓｅは、多地点制御装置１００が出力した１個のモノラル符号ＣＴＭＭ１Ｎ１から、固定通信端末装置２００−Ｍ１が収音した２チャンネルステレオの音信号と移動通信端末装置３００−Ｎ１が収音したモノラルの音信号が混合された音信号に対応する１個のモノラルの復号音信号を得る。
【００９９】
なお、音声会議の例であれば、固定通信端末装置２００−Ｍ１と移動通信端末装置３００−Ｎ１の２地点が発声地点であるフレームがこのケースに相当し、多地点電話接続システム１０としては下記のように動作することになる。
・多地点制御装置１００は、発声地点の固定通信端末装置２００−Ｍ１に対しては、他方の発声地点の音信号を表すモノラル符号ＣＭＭＮ１を出力する。発声地点の固定通信端末装置２００−Ｍ１は、多地点制御装置１００が出力した１個のモノラル符号ＣＭＭＮ１から、上述したケースＣの処理を行って、他方の発声地点のモノラルの音信号に対応するモノラルの音信号であり、符号化と復号の組がタンデム接続ではない音信号である、モノラルの復号音信号を得る。
・多地点制御装置１００は、発声地点の移動通信端末装置３００−Ｎ１に対しては、他方の発声地点の２チャンネルステレオの音信号を表す符号のうちのモノラル符号ＣＦＭＭ１のみを出力する。移動通信端末装置３００−Ｎ１は、多地点制御装置１００が出力した１個のモノラル符号ＣＦＭＭ１から、他方の発声地点の２チャンネルステレオの音信号が混合された音信号であり、符号化と復号の組がタンデム接続ではない音信号である、モノラルの復号音信号を得る。
・多地点制御装置１００は、発声地点以外の各固定通信端末装置２００−ｍｅｌｓｅに対しては、２個の発声地点の音信号を表す２個のモノラル符号ＣＦＭＭ１とＣＭＭＮ１を出力する。すなわち、１つの発声地点の２チャンネルステレオの音信号を表す符号のうちのモノラル符号ＣＦＭＭ１と別の発声地点のモノラルの音信号を表すモノラル符号ＣＭＭＮ１を出力する。発声地点以外の各固定通信端末装置２００−ｍｅｌｓｅは、多地点制御装置１００が出力した２個のモノラル符号ＣＦＭＭ１とＣＭＭＮ１から、上述したケースＢの処理を行って、２個の発声地点それぞれのモノラルの音信号に対応する音信号であり、符号化と復号の組がタンデム接続ではない音信号である、計２個のチャンネルの復号音信号を得る。２個の発声地点それぞれのモノラルの音信号に対応する音信号とは、１つの発声地点の２チャンネルステレオの音信号が混合された音信号に対応する音信号と、別の発声地点のモノラルの音信号に対応する音信号と、である。
・多地点制御装置１００は、発声地点以外の各移動通信端末装置３００−ｎｅｌｓｅに対しては、２個の発声地点のモノラル符号ＣＦＭＭ１とＣＭＭＮ１を復号して得た音信号を混合して符号化して得た１個の音信号を表すモノラル符号ＣＴＭＭ１Ｎ１を出力する。発声地点以外の各移動通信端末装置３００−ｎｅｌｓｅは、多地点制御装置１００が出力した１個のモノラル符号ＣＴＭＭ１Ｎ１から、２個の発声地点の全ての音信号が混合されたモノラルの音信号であり、符号化と復号の組がタンデム接続され混合された音信号である、１個の復号音信号を得る。
【０１００】
［移動通信端末装置３００−Ｎ１（Ｎ１は１以上Ｎ以下の何れか１つの整数）と移動通信端末装置３００−Ｎ２（Ｎ２は１以上Ｎ以下でありＮ１とは異なる何れか１つの整数）が選択されるケース］
選択基準として音信号のパワーを用いる上述した例であれば、Ｍ＋Ｎ個の端末装置のうちの音信号のパワーが最大のものとパワーが２番目に大きく閾値以上であるものが、移動通信端末装置３００−Ｎ１（Ｎ１は１以上Ｎ以下の何れか１つの整数）と移動通信端末装置３００−Ｎ２（Ｎ２は１以上Ｎ以下でありＮ１とは異なる何れか１つの整数）である場合がこのケースに該当する。
【０１０１】
このケースの場合には、多地点制御装置１００の地点選択部１１０が上述したケース５の選択地点情報を出力し、多地点制御装置１００のビット列生成部１２０が上述した［選択地点情報がケース５の情報である場合］の動作を行うことから、以降の各端末装置の動作も含めると、多地点電話接続システム１０としては下記のように動作することになる。
・多地点制御装置１００は、移動通信端末装置３００−Ｎ１に対しては、移動通信端末装置３００−Ｎ２が収音したモノラルの音信号を表すモノラル符号ＣＭＭＮ２を出力する。移動通信端末装置３００−Ｎ１は、多地点制御装置１００が出力した１個のモノラル符号ＣＭＭＮ２から、移動通信端末装置３００−Ｎ２が収音したモノラルの音信号に対応するモノラルの復号音信号を得る。
・多地点制御装置１００は、移動通信端末装置３００−Ｎ２に対しては、移動通信端末装置３００−Ｎ１が収音したモノラルの音信号を表すモノラル符号ＣＭＭＮ１を出力する。移動通信端末装置３００−Ｎ２は、多地点制御装置１００が出力した１個のモノラル符号ＣＭＭＮ１から、移動通信端末装置３００−Ｎ１が収音したモノラルの音信号に対応するモノラルの復号音信号を得る。
・多地点制御装置１００は、移動通信端末装置３００−Ｎ１でも移動通信端末装置３００−Ｎ２でもない各移動通信端末装置３００−ｎｅｌｓｅ（ｎｅｌｓｅは１以上Ｎ以下でありＮ１ともＮ２とも異なる各整数）に対しては、移動通信端末装置３００−Ｎ１が収音したモノラルの音信号を表すモノラル符号ＣＭＭＮ１を復号して得た音信号と移動通信端末装置３００−Ｎ２が収音したモノラルの音信号を表すモノラル符号ＣＭＭＮ２を復号して得た音信号とを混合してから符号化して得たモノラル符号ＣＭＭＮ１Ｎ２を出力する。各移動通信端末装置３００−ｎｅｌｓｅは、多地点制御装置１００が出力した１個のモノラル符号ＣＭＭＮ１Ｎ２から、移動通信端末装置３００−Ｎ１が収音したモノラルの音信号と移動通信端末装置３００−Ｎ２が収音したモノラルの音信号が混合された音信号に対応する１個のモノラルの復号音信号を得る。
・多地点制御装置１００は、各固定通信端末装置２００−ｍ（ｍは１以上Ｍ以下の各整数）に対しては、移動通信端末装置３００−Ｎ１が収音したモノラルの音信号を表すモノラル符号ＣＭＭＮ１と移動通信端末装置３００−Ｎ２が収音したモノラルの音信号を表すモノラル符号ＣＭＭＮ２とを出力する。各固定通信端末装置２００−ｍは、多地点制御装置１００が出力した２個のモノラル符号ＣＭＭＮ１とＣＭＭＮ２から、上述したケースＢの処理を行って、移動通信端末装置３００−Ｎ１が収音したモノラルの音信号に対応する音信号と、移動通信端末装置３００−Ｎ２が収音したモノラルの音信号に対応する音信号と、の計２個のチャンネルの復号音信号を得る。
【０１０２】
なお、音声会議の例であれば、移動通信端末装置３００−Ｎ１と移動通信端末装置３００−Ｎ２の２地点が発声地点であるフレームがこのケースに相当し、多地点電話接続システム１０としては下記のように動作することになる。
・多地点制御装置１００は、発声地点の移動通信端末装置３００−Ｎ１と移動通信端末装置３００−Ｎ２のそれぞれに対しては、他方の発声地点のモノラルの音信号を表すモノラル符号ＣＭＭＭｘ（ｘは１または２）を出力する。発声地点の移動通信端末装置３００−Ｎ１と移動通信端末装置３００−Ｎ２のそれぞれは、多地点制御装置１００が出力した１個のモノラル符号ＣＭＭＭｘから、他方の発声地点のモノラルの音信号に対応する音信号であり、符号化と復号の組がタンデム接続ではない音信号である、モノラルの復号音信号を得る。
・多地点制御装置１００は、発声地点以外の各移動通信端末装置３００−ｎｅｌｓｅに対しては、２個の発声地点それぞれのモノラルの音信号を表すモノラル符号ＣＭＭＭ１とＣＭＭＭ２を復号して得た音信号を混合して符号化して得た１個の音信号を表すモノラル符号ＣＴＭＭ１Ｍ２を出力する。発声地点以外の各移動通信端末装置３００−ｎｅｌｓｅは、多地点制御装置１００が出力した１個のモノラル符号ＣＴＭＭ１Ｍ２から、２個の発声地点の全ての音信号が混合されたモノラルの音信号であり、符号化と復号の組がタンデム接続され混合された音信号である、１個の復号音信号を得る。
・多地点制御装置１００は、各固定通信端末装置２００−ｍに対しては、２個の発声地点のモノラルの音信号を表す２個のモノラル符号ＣＭＭＭ１とＣＭＭＭ２を出力する。各固定通信端末装置２００−ｍは、多地点制御装置１００が出力した２個のモノラル符号ＣＭＭＭ１とＣＭＭＭ２から、上述したケースＢの処理を行って、２個の発声地点それぞれのモノラルの音信号に対応する２個のモノラルの音信号であり、符号化と復号の組がタンデム接続ではない音信号である、計２個のチャンネルの復号音信号を得る。
【０１０３】
＜第二実施形態＞
第一実施形態の固定通信端末装置の符号化部では、拡張符号のみを用いても２個のチャンネルの復号ディジタル音信号の何れも得ることができない符号であり、モノラル符号と併せて用いることで２個のチャンネルの復号ディジタル音信号の両方を得ることができる符号を拡張符号として得るようにしていたが、モノラル符号と併せて用いずに拡張符号のみを用いることで２個のチャンネルの復号ディジタル音信号の両方を得ることができる符号を拡張符号として得るようにしてもよい。この形態を第二実施形態として説明する。
【０１０４】
第二実施形態の多地点電話接続システム１０の構成及びと多地点電話接続システム１０に含まれる各装置の構成は、第一実施形態の多地点電話接続システム１０の構成及び多地点電話接続システム１０に含まれる各装置と同じである。第二実施形態が第一実施形態と異なるのは、固定通信端末装置２００−ｍの音信号固定送信側装置２１０−ｍの符号化部２１２−ｍと固定通信端末装置２００−ｍの音信号固定受信側装置２２０−ｍの復号部２２２−ｍの動作であるので、以下では第二実施形態が第一実施形態と異なる点について説明する。
＜符号化部２１２−ｍ＞
第二実施形態の符号化部２１２−ｍは、フレームごとに、収音部２１１−ｍから入力された２個のチャンネルのディジタル音信号を混合した信号を上述した第１の符号化方式で符号化してモノラル符号を得て、また、入力された２個のチャンネルのディジタル音信号を所定の第３の符号化方式でステレオ符号化して拡張符号を得て、得たモノラル符号と拡張符号を制御情報付与部２１３−ｍに出力する。
【０１０５】
第３の符号化方式としては、全ての音信号固定送信側装置２１０−ｍの符号化部２１２−ｍで同じ符号化方式を用いる。第３の符号化方式としては、拡張符号のビットレートが固定伝送路４００−ｍの通信容量からモノラル符号のビットレートを減算した値以下である符号化方式を用いる必要がある。第３の符号化方式としては、拡張符号のビットレートが上述した条件を満たす範囲内で、第１の符号化方式で得たモノラル符号と併せて用いずに拡張符号のみを用いることで２個のチャンネルの復号ディジタル音信号の両方を得ることができる符号を拡張符号として得るように、２個のチャンネルの音信号を効率良く符号化できる符号化方式を用いればよい。もちろん、第３の符号化方式として、２個のチャンネルの音信号それぞれを上述した第１の符号化方式で符号化する方式を用いてもよく、例えば、２個のチャンネルの音信号それぞれを上述した3GPP EVS規格の13.2kbpsモードで符号化するようにしてもよい。
【０１０６】
＜復号部２２２−ｍ＞
第二実施形態の復号部２２２−ｍは、第一実施形態の復号部２２２−ｍと同様に、フレームごとに、入力された符号情報に基づいて、入力された符号がある場合には入力された符号を復号して１個または２個の復号ディジタル音信号を得て、再生部２２３−ｍに出力する。ただし、第二実施形態の復号部２２２−ｍは、第一実施形態の復号部２２２−ｍの上述したケースＡに代えて、下記のケースＡ’の処理を行う。
【０１０７】
［ケースＡ’］
第二実施形態の復号部２２２−ｍは、入力された符号情報が“音信号を表す符号列が含む符号が１組のモノラル符号と拡張符号であることを表す情報”である場合には、入力された拡張符号を所定の第３の復号方式で復号して２個の復号ディジタル音信号を得て出力する。すなわち、復号部２２２−ｍは、モノラル符号は復号せずに、拡張符号のみを復号して２個の復号ディジタル音信号を得て出力する。なお、第二実施形態の復号部２２２−ｍは、第３の復号方式としては、第二実施形態の音信号固定送信側装置２１０−ｍの符号化部２１２−ｍで用いた第３の符号化方式に対応する復号方式を用いる。
【０１０８】
＜第二実施形態の変形例１＞
第二実施形態の固定通信端末装置の復号部では、上述したケースＡ’の場合にはモノラル符号は用いない。従って、この場合には固定通信端末装置の制御情報解析部はモノラル符号を出力しないでもよい。この形態を第二実施形態の変形例１として、第二実施形態と異なる点について説明する。
【０１０９】
＜制御情報解析部２２１−ｍ＞
第二実施形態の変形例１の制御情報解析部２２１−ｍは、入力された固定端末向けビット列に含まれる制御符号が表す符号情報が“音信号を表す符号列が含む符号が１組のモノラル符号と拡張符号であることを表す情報”である場合には、入力された固定端末向けビット列に含まれる制御符号が表す符号情報と、入力された固定端末向けビット列に含まれる音信号を表す符号のうちの拡張符号と、を出力する。第二実施形態の変形例１の制御情報解析部２２１−ｍは、上記以外の場合、すなわち、入力された固定端末向けビット列に含まれる制御符号が表す符号情報が“音信号を表す符号列が含む符号が１組のモノラル符号と拡張符号であることを表す情報”以外である場合には、第二実施形態の制御情報解析部２２１−ｍと同じ動作をする。
【０１１０】
＜第二実施形態の変形例２＞
第二実施形態の固定通信端末装置の復号部では、上述したケースＡ’の場合にはモノラル符号は用いない。従って、この場合には多地点制御装置のビット列生成部はモノラル符号を出力しないでもよい。この形態を第二実施形態の変形例２として、第二実施形態と異なる点について説明する。
【０１１１】
＜ビット列生成部１２０＞
第二実施形態の変形例２のビット列生成部１２０は、第二実施形態のビット列生成部１２０と同様に、フレームごとに、入力された選択地点情報に基づいて、入力された固定端末送出ビット列と入力された移動端末送出ビット列を用いて、各固定通信端末装置２００−ｍに対して出力する固定端末向けビット列と各移動通信端末装置３００−ｎに対して出力する移動端末向けビット列を生成して出力する。ただし、第二実施形態の変形例２のビット列生成部１２０は、選択地点情報が“Ｆｉｘ−Ｍ１”という情報である場合に、固定通信端末装置２００−Ｍ１以外の各固定通信端末装置２００−ｍｅｌｓｅ（ｍｅｌｓｅは、１以上Ｍ以下でありＭ１とは異なる各整数）に対しては、固定通信端末装置２００−Ｍ１が出力した固定端末送出ビット列に含まれる拡張符号ＣＦＥＭ１のみを音信号を表す符号として含み、符号情報が“音信号を表す符号列が含む符号が１個の拡張符号であることを表す情報”であることを表す制御符号を含む、固定端末向けビット列を生成して、各固定通信端末装置２００−ｍｅｌｓｅが接続された各固定伝送路４００−ｍｅｌｓｅに出力する。
【０１１２】
＜制御情報解析部２２１−ｍ＞
第二実施形態の変形例２の制御情報解析部２２１−ｍは、入力された固定端末向けビット列に含まれる制御符号が表す符号情報が“音信号を表す符号列が含む符号が１個の拡張符号であることを表す情報”である場合には、入力された固定端末向けビット列に含まれる制御符号が表す符号情報と、入力された固定端末向けビット列に含まれる音信号を表す符号である１つの拡張符号と、を出力する。第二実施形態の変形例２の制御情報解析部２２１−ｍは、上記以外の場合、すなわち、入力された固定端末向けビット列に含まれる制御符号が表す符号情報が“音信号を表す符号列が含む符号が１個の拡張符号であることを表す情報”以外である場合には、第二実施形態の制御情報解析部２２１−ｍと同じ動作をする。
【０１１３】
＜復号部２２２−ｍ＞
第二実施形態の変形例２の復号部２２２−ｍは、入力された符号情報が“音信号を表す符号列が含む符号が１個の拡張符号であることを表す情報”である場合には、入力された拡張符号を上述した第３の復号方式で復号して２個の復号ディジタル音信号を得て出力する。第二実施形態の変形例２の復号部２２２−ｍは、上記以外の場合、すなわち、入力された符号情報が“音信号を表す符号列が含む符号が１個の拡張符号であることを表す情報”以外である場合には、第二実施形態の復号部２２２−ｍと同じ動作をする。
【０１１４】
＜第三実施形態＞
固定通信端末装置の符号化部が得る拡張符号は、第一実施形態では、拡張符号のみを用いても２個のチャンネルの復号ディジタル音信号の何れも得ることができない符号であり、モノラル符号と併せて用いることで２個のチャンネルの復号ディジタル音信号の両方を得ることができる符号であり、第二実施形態では、モノラル符号と併せて用いずに拡張符号のみを用いることで２個のチャンネルの復号ディジタル音信号の両方を得ることができる符号であったが、第一実施形態の拡張符号と第二実施形態の拡張符号のうちの何れか１つをフレームごとに選択するようにしてもよい。この形態を第三実施形態として説明する。
【０１１５】
第三実施形態の多地点電話接続システム１０の構成及び多地点電話接続システム１０に含まれる各装置の構成は、第一実施形態及び第二実施形態の多地点電話接続システム１０の構成及び多地点電話接続システム１０に含まれる各装置と同じである。以下では第三実施形態が第一実施形態と異なる点について説明する。
【０１１６】
＜符号化部２１２−ｍ＞
第三実施形態の符号化部２１２−ｍは、第一実施形態及び第二実施形態の符号化部２１２−ｍと同様に、フレームごとに、収音部２１１−ｍから入力された２個のチャンネルのディジタル音信号を混合した信号を上述した第１の符号化方式で符号化してモノラル符号を得て、得たモノラル符号を音信号固定送信側装置２１０−ｍの制御情報付与部２１３−ｍに出力する。
【０１１７】
また、第三実施形態の符号化部２１２−ｍは、入力された２個のチャンネルのディジタル音信号の差分に相当する情報を表す符号を含む拡張符号、または、入力された２個のチャンネルのディジタル音信号を上述した第３の符号化方式でステレオ符号化して得た拡張符号を、音信号固定送信側装置２１０−ｍの制御情報付与部２１３−ｍに出力する。
【０１１８】
例えば、第三実施形態の符号化部２１２−ｍは、入力された２個のチャンネルのディジタル音信号を混合した信号を上述した第１の符号化方式で符号化してモノラル符号を得て、得たモノラル符号を第１の復号方式で復号をして暫定復号ディジタル音信号を得て、入力された２個のチャンネルのディジタル音信号の差分に相当する情報を上述した第２の符号化方式で符号化して第１の暫定拡張符号を得て、得た第１の暫定拡張符号を第２の復号方式で復号をして差分に相当する復号情報を得て、得た暫定復号ディジタル音信号と差分に相当する復号情報とから、暫定復号ディジタル音信号が２個のチャンネルの第１の復号ディジタル音信号が混合された信号であると見做し、差分に相当する復号情報が２個のチャンネルの第１の暫定復号ディジタル音信号の差分に相当する情報であると見做して、２個のチャンネルの第１の暫定復号ディジタル音信号を得る。また、符号化部２１２−ｍは、２個のチャンネルのディジタル音信号を上述した第３の符号化方式で符号化して第２の暫定拡張符号を得て、得た第２の暫定拡張符号を第３の復号方式で復号をして２個のチャンネルの第２の暫定復号ディジタル音信号を得る。そして、符号化部２１２−ｍは、入力された２個のチャンネルのディジタル音信号と２個のチャンネルの第１の暫定復号ディジタル音信号とから求まる符号化歪みと、入力された２個のチャンネルのディジタル音信号と２個のチャンネルの第２の暫定復号ディジタル音信号とから求まる符号化歪みと、のうちの符号化歪みが小さいほうに対応する暫定拡張符号を拡張符号として出力する。また例えば、第三実施形態の符号化部２１２−ｍは、第１の暫定復号ディジタル音信号の符号化歪みの推定値を第１の推定符号化歪みとして得て、第２の暫定復号ディジタル音信号の符号化歪みの推定値を第２の推定符号化歪みとして得て、第１の推定符号化歪みと第２の推定符号化歪みのうちの推定符号化歪みが少ないほうの符号化処理を行って拡張符号を得て出力する。
【０１１９】
また例えば、第三実施形態の符号化部２１２−ｍは、入力された２個のチャンネルのディジタル音信号の差分に相当する情報を上述した第２の符号化方式で符号化して第１の暫定拡張符号を得て、入力された２個のチャンネルのディジタル音信号を上述した第３の符号化方式でステレオ符号化して第２の暫定拡張符号を得て、第１の暫定拡張符号と第２の暫定拡張符号のうちの符号量が少ないほうを選択して拡張符号として出力する。また例えば、第三実施形態の符号化部２１２−ｍは、入力された２個のチャンネルのディジタル音信号の差分に相当する情報を上述した第２の符号化方式で符号化して得られる拡張符号の符号量の推定値を第１の推定符号量として得て、入力された２個のチャンネルのディジタル音信号を上述した第３の符号化方式でステレオ符号化して得られる拡張符号の符号量の推定値を第２の推定符号量として得て、第１の推定符号量と第２の推定符号量のうちの推定符号量が少ないほうの符号化処理を行って拡張符号を得て出力する。
【０１２０】
また例えば、第三実施形態の符号化部２１２−ｍは、入力された２個のチャンネルのディジタル音信号を分析して、その分析結果に従って、入力された２個のチャンネルのディジタル音信号の差分に相当する情報を表す符号を含む拡張符号を得るか、または、入力された２個のチャンネルのディジタル音信号を上述した第３の符号化方式でステレオ符号化して拡張符号を得るかの動作をして、得た拡張符号を出力する。また例えば、第三実施形態の符号化部２１２−ｍは、固定通信端末装置２００−ｍの図示しない制御部による制御に従って、入力された２個のチャンネルのディジタル音信号の差分に相当する情報を表す符号を含む拡張符号を得るか、または、入力された２個のチャンネルのディジタル音信号を上述した第３の符号化方式でステレオ符号化して拡張符号を得るかの動作をして、得た拡張符号を出力する。
【０１２１】
さらに、第三実施形態の符号化部２１２−ｍは、出力する拡張符号が、入力された２個のチャンネルのディジタル音信号の差分に相当する情報を表す符号を含む拡張符号と、入力された２個のチャンネルのディジタル音信号を上述した第３の符号化方式でステレオ符号化して得た拡張符号と、の何れであるかを特定する情報を得て制御情報付与部２１３−ｍに出力する。
【０１２２】
＜制御情報付与部２１３−ｍ＞
第三実施形態の制御情報付与部２１３−ｍは、音信号を表す符号がモノラル符号と拡張符号である場合には、“音信号を表す符号列が含む符号が１組のモノラル符号と拡張符号であることを表す情報”に加えて、拡張符号が上述した何れの拡張符号であるかを特定する情報、すなわち、“拡張符号が差分に相当する情報を表す符号を含むものであるのか第３の符号化方式で得たものであるのかを特定する情報”も含む符号情報を表す制御符号を出力する。
【０１２３】
＜復号部２２２−ｍ＞
第三実施形態の復号部２２２−ｍは、入力された符号情報が“音信号を表す符号列が含む符号が１組のモノラル符号と拡張符号であることを表す情報”である場合のうちの“拡張符号が差分に相当する情報を表す符号を含むものであるのか第３の符号化方式で得たものであるのかを特定する情報”が拡張符号が差分に相当する情報を表す符号を含むものであることを特定する場合には、第一実施形態の復号部２２２−ｍの上述したケースＡの処理を行い、入力された符号情報が“音信号を表す符号列が含む符号が１組のモノラル符号と拡張符号であることを表す情報”である場合のうちの“拡張符号が差分に相当する情報を表す符号を含むものであるのか第３の符号化方式で得たものであるのかを特定する情報”が拡張符号が第３の符号化方式で得たものであることを特定する場合には、第二実施形態の復号部２２２−ｍの上述したケースＡ’の処理を行う。第三実施形態の復号部２２２−ｍは、それ以外の場合、すなわち、入力された符号情報が“音信号を表す符号列が含む符号が１組のモノラル符号と拡張符号であることを表す情報”以外である場合には、第一実施形態及び第二実施形態の復号部２２２−ｍと同じ動作をする。
【０１２４】
なお、第３実施形態についても、第２実施形態を第２実施形態の変形例１や変形例２に変形したのと同様の変形をしてもよい。
【０１２５】
＜その他の実施形態＞
≪地点選択部が最大２個の地点を選択する構成における端末装置の個数≫
上述した各実施形態では、説明を簡単化するために、多地点電話接続システムには２個以上の固定通信端末装置と２個以上の移動通信端末装置が含まれる例で説明した。しかし、上述した各実施形態の多地点電話接続システムに含まれる端末装置の個数はこの限りではなく、上述した各実施形態の多地点電話接続システムには、固定通信端末装置が１個以上含まれていて、移動通信端末装置が１個以上含まれていて、固定通信端末装置と移動通信端末装置が合計３個以上含まれていればよい。すなわち、上述した各実施形態の多地点電話接続システムは、Ｍが１以上、かつ、Ｎが１以上、かつ、Ｍ＋Ｎが３以上、であればよい。
【０１２６】
ただし、Ｍが１である場合、すなわち、多地点電話接続システムに１個の固定通信端末装置と２個以上の移動通信端末装置が含まれる場合には、多地点制御装置１００の地点選択部１１０が選択する地点が２地点とも固定通信端末装置であることはないので、地点選択部１１０が出力する地点選択情報はケース３となることはなく、地点選択部１１０が出力する地点選択情報はケース１、２、４、５の何れかとなる。またこの場合には、地点選択部１１０が選択した地点に固定通信端末装置が含まれているときには地点選択部１１０が選択しなかった地点に固定通信端末装置が含まれていることはないので、多地点制御装置１００のビット列生成部１２０は、地点選択情報がケース１の情報である場合の２通り目のビット列、地点選択情報がケース４の情報である場合の３通り目のビット列を出力することはなく、地点選択情報がケース１の情報である場合には１通り目と３通り目のビット列を出力し、地点選択情報がケース４の情報である場合には１通り目と２通り目と４通り目のビット列を出力する。またこの場合には、固定通信端末装置２００−１の音信号固定受信側装置２２０−１の復号部２２２−１が上述したケースＡの処理を行うことはなく、復号部２２２−１は上述したケースＢからＤの何れかの処理を行う。
【０１２７】
また、Ｎが１である場合、すなわち、多地点電話接続システムに２個以上の固定通信端末装置と１個の移動通信端末装置が含まれる場合には、多地点制御装置１００の地点選択部１１０が選択する地点が２地点とも移動通信端末装置であることはないので、地点選択部１１０が出力する地点選択情報はケース５となることはなく、地点選択部１１０が出力する地点選択情報はケース１から４の何れかとなる。またこの場合には、地点選択部１１０が選択した地点に移動通信端末装置が含まれているときには、地点選択部１１０が選択しなかった地点に移動通信端末装置が含まれていることはないので、多地点制御装置１００のビット列生成部１２０は、地点選択情報がケース２の情報である場合の２通り目のビット列、地点選択情報がケース４の情報である場合の４通り目のビット列を出力することはなく、地点選択情報がケース２の情報である場合には１通り目と３通り目のビット列を出力し、地点選択情報がケース４の情報である場合には１通り目と２通り目と３通り目のビット列を出力する。
【０１２８】
≪地点選択部が選択する地点の個数≫
また、上述した各実施形態では、説明を簡単化するために、多地点制御装置１００の地点選択部１１０が１個または２個の地点を選択する例で説明した。しかし、地点選択部１１０が選択する地点の個数はこの限りではなく、上述した第１の符号化方式が得るモノラル符号が固定電話の音声回線用の伝送路でリアルタイム伝送可能な通信容量の範囲内に収まる個数であれば３個以上であってもよい。すなわち、多地点制御装置１００の地点選択部１１０は最大Ｋ個（Ｋは２以上の整数）の地点を選択するようにすればよい。この場合には、多地点制御装置１００のビット列生成部１２０と各固定通信端末装置２００−ｍと各移動通信端末装置３００−ｎと以下のように動作する。
【０１２９】
［自地点以外の選択された地点の個数が０個の通信端末装置と、その通信端末装置に対するビット列生成部の動作］
選択された地点が１個である場合（すなわち、Ｋが１である場合）には、選択された地点の端末装置については、自地点以外の選択された地点の個数が０個である。多地点制御装置１００のビット列生成部１２０は、自地点以外の選択された地点の個数が０個である通信端末装置に対しては、第一実施形態で上述した通り、音信号を表す符号列を出力しない。自地点以外の選択された地点の個数が０個である通信端末装置は、第一実施形態で上述した通り、音信号を表す符号列を復号せずに、復号音信号を得ない。
【０１３０】
［自地点以外の選択された地点の個数が１個の固定通信端末装置と、その固定通信端末装置に対するビット列生成部の動作］
選択された地点が２個である場合（すなわち、Ｋが２である場合）には、選択された地点の端末装置については、自地点以外の選択された地点の個数が１個である。また、選択された地点が１個である場合（すなわち、Ｋが１である場合）には、選択されなかった地点の端末装置については、自地点以外の選択された地点の個数が１個である。多地点制御装置１００のビット列生成部１２０は、自地点以外の選択された地点の個数が１個である固定通信端末装置に対しては、第一実施形態で上述した通り、選択された地点のモノラル符号を音信号を表す符号として少なくとも含み、選択された地点の拡張符号がある場合には選択された地点の拡張符号も音信号を表す符号として含む、ビット列を生成して出力する。すなわち、多地点制御装置１００のビット列生成部１２０は、自地点以外の選択された地点の個数が１個である固定通信端末装置に対しては、選択された地点が固定通信端末装置である場合には、選択された地点のモノラル符号と拡張符号を音信号を表す符号として含むビット列を生成して出力し、選択された地点が移動通信端末装置である場合には、選択された地点のモノラル符号を音信号を表す符号として含むビット列を生成して出力する。自地点以外の選択された地点の個数が１個である固定通信端末装置の復号部は、第一実施形態で上述した通り、選択された地点のモノラル符号を復号し、選択された地点の拡張符号がある場合には選択された地点の拡張符号も復号して、選択された地点の復号音信号を得る。
【０１３１】
［自地点以外の選択された地点の個数が１個の移動通信端末装置と、その移動通信端末装置に対するビット列生成部の動作］
選択された地点が２個である場合（すなわち、Ｋが２である場合）には、選択された地点の端末装置については、自地点以外の選択された地点の個数が１個である。また、選択された地点が１個である場合（すなわち、Ｋが１である場合）には、選択されなかった地点の端末装置については、自地点以外の選択された地点の個数が１個である。多地点制御装置１００のビット列生成部１２０は、自地点以外の選択された地点の個数が１個である移動通信端末装置に対しては、第一実施形態で上述した通り、選択された地点のモノラル符号を音信号を表す符号として含むビット列を生成して出力する。自地点以外の選択された地点の個数が１個である移動通信端末装置の復号部は、第一実施形態で上述した通り、選択された地点のモノラル符号を復号して選択された地点の復号音信号を得る。
［自地点以外の選択された地点の個数が２個以上の固定通信端末装置と、その固定通信端末装置に対するビット列生成部の動作］
選択された地点が３個以上である場合（すなわち、Ｋが３以上である場合）には、選択された地点の端末装置については、自地点以外の選択された地点の個数が２個以上である。また、選択された地点が２個以上である場合（すなわち、Ｋが２以上である場合）には、選択されなかった地点の端末装置については、自地点以外の選択された地点の個数が２個以上である。多地点制御装置１００のビット列生成部１２０は、自地点以外の選択された地点の個数が２個以上である固定通信端末装置に対しては、選択された２個以上（ｋ個、ｋは２以上Ｋ以下の整数）の通信端末装置それぞれが出力したビット列に含まれるモノラル符号ｋ個を音信号を表す符号として含み、符号情報が“音信号を表す符号列が含む符号がｋ個のモノラル符号であることを表す情報”であることを表す制御符号を含む、固定端末向けビット列を生成して出力する。自地点以外の選択された地点の個数が２個以上である固定通信端末装置の音信号固定受信側装置の制御情報解析部は、“音信号を表す符号列が含む符号がｋ個のモノラル符号であることを表す情報”である符号情報とｋ個のモノラル符号を復号部に出力する。自地点以外の選択された地点の個数が２個以上である固定通信端末装置の音信号固定受信側装置の復号部は、入力されたｋ個のモノラル符号それぞれを上述した第１の復号方式で復号してｋ個の復号ディジタル音信号を得て出力する。なお、各固定通信端末装置の音信号固定受信側装置の再生部が最大Ｋ個のDA変換部と最大Ｋ個のスピーカを含むようにしてもよい。
【０１３２】
［自地点以外の選択された地点の個数が２個以上の移動通信端末装置と、その移動通信端末装置に対するビット列生成部の動作］
選択された地点が３個以上である場合（すなわち、Ｋが３以上である場合）には、選択された地点の端末装置については、自地点以外の選択された地点の個数が２個以上である。また、選択された地点が２個以上である場合（すなわち、Ｋが２以上である場合）には、選択されなかった地点の端末装置については、自地点以外の選択された地点の個数が２個以上である。多地点制御装置１００のビット列生成部１２０は、自地点以外の選択された地点の個数が２個以上である移動通信端末装置に対しては、選択された２個以上（ｋ個、ｋは２以上Ｋ以下の整数）の通信端末装置それぞれが出力したビット列に含まれるモノラル符号それぞれ復号してｋ個の復号ディジタル音信号を得て、得たｋ個の復号ディジタル音信号を混合して混合ディジタル音信号を得て、混合ディジタル音信号を上述した第１の符号化方式で符号化してモノラル符号を得て、混合ディジタル音信号から得た１個のモノラル符号を音信号を表す符号として含む移動端末向けビット列を生成して出力する。自地点以外の選択された地点の個数が２個以上である移動通信端末装置の復号部は、１個のモノラル符号を上述した第１の復号方式で復号して１個の復号ディジタル音信号を得て出力する。
【０１３３】
≪地点選択部がＫ個の地点を選択する構成における端末装置の個数≫
以上の２つの説明から分かる通り、多地点電話接続システムは、上述した第１の符号化方式が得るモノラル符号が固定電話の音声回線用の伝送路でリアルタイム伝送可能な通信容量の範囲内に収まる個数をＫ（Ｋは２以上の整数）としたとき、多地点制御装置１００の地点選択部１１０が最大Ｋ個の地点を選択する構成であって、固定通信端末装置が１個以上含まれていて、移動通信端末装置が１個以上含まれていて、固定通信端末装置と移動通信端末装置が合計Ｋ＋１個以上含まれていればよい。すなわち、上述した各実施形態の多地点電話接続システムは、Ｍが１以上、かつ、Ｎが１以上、かつ、Ｍ＋ＮがＫ＋１以上、であればよい。
【０１３４】
≪固定通信端末装置の音信号のチャンネル数≫
また、上述した各実施形態では、説明を簡単化するために、固定通信端末装置２００−ｍの音信号固定送信側装置２１０−ｍが２個のチャンネルのディジタル音信号に対応する符号を含むビット列を得て出力する例で説明した。しかし、チャンネル数はこの限りではなく２以上であればよい。このチャンネル数をＣ（Ｃは２以上の整数）とすると、この場合は、固定通信端末装置２００−ｍの音信号固定送信側装置２１０−ｍの収音部２１１−ｍはＣ個のマイクロホンとＣ個のAD変換部を含むようにすればよく、固定通信端末装置２００−ｍの音信号固定送信側装置２１０−ｍの符号化部２１２−ｍは、フレームごとに、収音部２１１−ｍから入力されたＣ個のチャンネルのディジタル音信号を混合した信号を所定の第１の符号化方式で符号化してモノラル符号を得て、入力されたＣ個のチャンネルのディジタル音信号の差分に相当する情報を表す符号を含む拡張符号を得るようにすればよい。また、この場合は、固定通信端末装置２００−ｍの音信号固定受信側装置２２０−ｍの復号部２２２−ｍは、上述したケースＡに代えて、入力されたモノラル符号を所定の第１の復号方式で復号して暫定復号ディジタル音信号を得て、入力された拡張符号に含まれる差分に相当する情報を表す符号から復号差分情報を得て、得た暫定復号ディジタル音信号と復号差分情報とから、暫定復号ディジタル音信号がＣ個の復号ディジタル音信号が混合された信号であると見做し、復号差分情報がＣ個の復号ディジタル音信号の差分に相当する情報であると見做して、Ｃ個の復号ディジタル音信号を得て出力するようにすればよい。また、入力された拡張符号に、差分に相当する情報を表す符号である差分符号に加えて誤差符号も含まれている場合には、復号部２２２−ｍは、更に、入力された拡張符号に含まれる誤差符号から復号誤差情報を得て、暫定復号ディジタル音信号と復号誤差情報と復号差分情報とから、暫定復号ディジタル音信号がＣ個の復号音信号が混合された信号であると見做し、復号誤差情報が暫定復号ディジタル音信号の誤差に相当する情報であると見做し、復号差分情報がＣ個の復号ディジタル音信号の差分に相当する情報であると見做して、Ｃ個の復号ディジタル音信号を得て出力するようにすればよい。またこれらの場合は、固定通信端末装置２００−ｍの音信号固定受信側装置２２０−ｍの再生部２２３−ｍが最大Ｃ個のDA変換部と最大Ｃ個のスピーカを含むようにしてもよい。なお、入力されたＣ個のチャンネルのディジタル音信号の差分に相当する情報を符号化する場合には、符号化部２１２−ｍは、入力されたＣ個のチャンネルのディジタル音信号のチャンネル間の差分に相当する情報を所定の第２の符号化方式で符号化して差分に相当する情報を表す符号を得て拡張符号に含めるようにし、復号部２２２−ｍは、入力された拡張符号に含まれる差分に相当する情報を表す符号を所定の第２の復号方式で復号して復号差分情報を得るようにすればよい。第２の復号方式と第２の符号化方式としては、例えば、MPEG-4 ALS規格のマルチチャンネル復号方式(ISO/IEC 14496-3 11.6.8.1.2)とこれに対応した符号化方式で使われている処理技術を用いればよい。なお、Ｃ個のチャンネルのディジタル音信号のチャンネル間の差分に相当する情報とは、第一実施形態で上述したのと同様に、Ｃ個のチャンネルのディジタル音信号の差分を表す波形情報、Ｃ個のチャンネルのディジタル音信号の差分を表す特徴パラメータなどである。
【０１３５】
＜プログラム及び記録媒体＞
第一通信網端末装置２００−ｍ、第二通信網端末装置３００−ｎ、多地点制御装置１００のそれぞれの各部の処理をコンピュータにより実現してもよい。言い換えれば、第一通信網端末装置２００−ｍに対応する符号化側の方法である符号化方法、第一通信網端末装置２００−ｍに対応する復号側の方法である復号方法のそれぞれの各ステップの処理をコンピュータによって実行してもよい。また、第二通信網端末装置３００−ｎに対応する方法の各ステップの処理をコンピュータによって実行してもよい。また、多地点制御装置１００に対応する多地点制御方法の各ステップの処理をコンピュータによって実行してもよい。この場合、各ステップの処理はプログラムによって記述される。そして、このプログラムをコンピュータで実行することにより、各ステップの処理がコンピュータ上で実現される。
これらの処理内容を記述したプログラムのそれぞれは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
また、各部の処理は、コンピュータ上で所定のプログラムを実行させることにより構成することにしてもよいし、これらの処理の少なくとも一部をハードウェア的に実現することとしてもよい。
その他、この発明の趣旨を逸脱しない範囲で適宜変更が可能であることはいうまでもない。
【図１】
2020115613.tif 000003
【図２】
2020115613.tif 000004
【図３】
2020115613.tif 000005
【図４】
2020115613.tif 000006
【図５】
2020115613.tif 000007
【図６】
2020115613.tif 000008
【図７】
2020115613.tif 000009
【図８】
2020115613.tif 000010
【図９】
2020115613.tif 000011
【図１０】
2020115613.tif 000012
【図１１】
2020115613.tif 000013
【図１２】
2020115613.tif 000014
【図１３】
2020115613.tif 000015
【図１４】
2020115613.tif 000016